(57)【要約】  ＯＦＤＭスーパーフレームなどの無線通信信号フレームを送信するための方法および装置。特に、開示される方法および装置は、信号フレームの中で第１のパイロットシンボルを送信し、このシンボルは、受信機に粗いタイミング情報を通信する役割をする。ワイドエリアネットワークに関するネットワーク識別情報を含む情報を通信する第２のパイロットシンボルが、その後、送信される。次に、ワイドエリアネットワークに関するＯＩＳ（オーバヘッド情報）が、送信され、その後、ローカルエリアネットワークに関するネットワーク識別情報を含む情報を通信する第３のパイロットシンボルが、受信機に送信される。ワイドエリアＯＩＳの後、ローカルエリアネットワークに関する第３のパイロットシンボルを送信することにより、受信機は、ワイドエリアネットワークタイミングおよびワイドエリアネットワーク情報を獲得し、次に、それに続いて、さらなる更新されたローカルエリアネットワークタイミングおよびローカルエリアネットワーク情報を獲得し、さらに、処理リソースをより効率的に利用することを許される。
2010505371.tif 000002
【特許請求の範囲】
【請求項１】
無線通信信号フレームを送信するための方法であって、
前記信号フレームの中で、少なくともタイミング情報を通信するように構成された第１のパイロットシンボルを送信すること、
第１のネットワークに関するネットワーク識別情報を含む第１の情報を通信するように構成された第２のパイロットシンボルを送信すること、
少なくとも前記第１のネットワークに関する第１のオーバヘッド情報を送信すること、および
前記第２のパイロットシンボル、および前記第１のネットワークに関する前記オーバヘッド情報の送信の後、第２のネットワークに関するネットワーク識別情報を含む第２の情報を通信するように構成された第３のパイロットシンボルを送信することを備える方法。
【請求項２】
前記第３のパイロットシンボルの送信の後、遷移パイロットチャネルを送信することをさらに備え、前記遷移パイロットチャネルは、受信機によって処理されることが要求される情報を全く含まない請求項１に記載の方法。
【請求項３】
前記第２のパイロットシンボルの送信の後、遷移パイロットチャネルを送信することをさらに備え、前記遷移パイロットチャネルは、受信機によって処理されることが要求される情報を全く含まない請求項１に記載の方法。
【請求項４】
前記遷移パイロットチャネルの送信の後、少なくとも前記第２のネットワークに関する第２のオーバヘッド情報を送信することをさらに備える請求項３に記載の方法。
【請求項５】
前記第２のパイロットシンボルおよび前記第３のパイロットシンボルは、２０４８のサンプルを含む請求項１に記載の方法。
【請求項６】
前記第１のネットワークは、ワイドエリアコンテンツネットワークであり、前記第２のネットワークは、ローカルエリアコンテンツネットワークである請求項１に記載の方法。
【請求項７】
無線通信信号フレームを送信するための方法であって、
第１のネットワークに関するネットワーク識別情報を含む第１の情報を通信するように構成された第１のパイロットシンボルを送信すること、
少なくとも前記第１のネットワークに関する第１のオーバヘッド情報を送信すること、
前記第１のパイロットシンボル、および前記第１のネットワークに関する前記オーバヘッド情報の送信の後、第２のネットワークに関するネットワーク識別情報を含む第２の情報を通信するように構成された第２のパイロットシンボルを送信すること、および
前記第２のパイロットシンボルの送信の後、受信機によって処理されることが要求されるデータを全く含まない第１の遷移チャネルを送信することを備える方法。
【請求項８】
前記第１のパイロットシンボルの送信の後、前記少なくとも第１のオーバヘッド情報の送信前に、第２の遷移パイロットチャネルを送信することをさらに備え、前記第２の遷移パイロットチャネルは、受信機によって処理されることが要求される情報を全く含まない請求項７に記載の方法。
【請求項９】
前記第２のパイロットシンボルの送信の後、少なくとも前記第２のネットワークに関する第２のオーバヘッド情報を送信することをさらに備える請求項１に記載の方法。
【請求項１０】
前記第１のパイロットシンボル、および前記第２のパイロットシンボルは、２０４８のサンプルを含む請求項７に記載の方法。
【請求項１１】
前記第１のネットワークは、ワイドエリアコンテンツネットワークであり、前記第２のネットワークは、ローカルエリアコンテンツネットワークである請求項７に記載の方法。
【請求項１２】
信号フレームの中で、少なくともタイミング情報を通信するように構成された第１のパイロットシンボルを送信し、
第１のネットワークに関するネットワーク識別情報を含む第１の情報を通信するように構成された第２のパイロットシンボルを送信し、
少なくとも前記第１のネットワークに関する第１のオーバヘッド情報を送信し、さらに
前記第２のパイロットシンボル、および前記第１のネットワークに関する前記オーバヘッド情報の送信の後、第２のネットワークに関するネットワーク識別情報を含む第２の情報を通信するように構成された第３のパイロットシンボルを送信するように構成された、送信機において使用するためのプロセッサ。
【請求項１３】
前記第３のパイロットシンボルの送信の後、遷移パイロットチャネルを送信するようにさらに構成され、前記遷移パイロットチャネルは、受信機によって処理されることが要求される情報を全く含まない請求項１２に記載のプロセッサ。
【請求項１４】
前記第２のパイロットシンボルの送信の後、遷移パイロットチャネルを送信するようにさらに構成され、前記遷移パイロットチャネルは、受信機によって処理されることが要求される情報を全く含まない請求項１２に記載のプロセッサ。
【請求項１５】
前記遷移パイロットチャネルの送信の後、少なくとも前記第２のネットワークに関する第２のオーバヘッド情報を送信するようにさらに構成される請求項１４に記載のプロセッサ。
【請求項１６】
前記第２のパイロットシンボルおよび前記第３のパイロットシンボルは、２０４８のサンプルを含む請求項１２に記載のプロセッサ。
【請求項１７】
前記第１のネットワークは、ワイドエリアコンテンツネットワークであり、前記第２のネットワークは、ローカルエリアコンテンツネットワークである請求項１２に記載のプロセッサ。
【請求項１８】
信号フレームの中で、少なくともタイミング情報を通信するように構成された第１のパイロットシンボルを送信するための手段と、
第１のネットワークに関するネットワーク識別情報を含む第１の情報を通信するように構成された第２のパイロットシンボルを送信するための手段と、
少なくとも前記第１のネットワークに関する第１のオーバヘッド情報を送信するための手段と、
前記第２のパイロットシンボル、および前記第１のネットワークに関する前記オーバヘッド情報の送信の後、第２のネットワークに関するネットワーク識別情報を含む第２の情報を通信するように構成された第３のパイロットシンボルを送信するための手段とを備える、送信機において使用するためのプロセッサ。
【請求項１９】
前記第３のパイロットシンボルの送信の後、遷移パイロットチャネルを送信するための手段をさらに備え、前記遷移パイロットチャネルは、受信機によって処理されることが要求される情報を全く含まない請求項１８に記載のプロセッサ。
【請求項２０】
前記第２のパイロットシンボルの送信の後、遷移パイロットチャネルを送信するための手段をさらに備え、前記遷移パイロットチャネルは、受信機によって処理されることが要求される情報を全く含まない請求項１８に記載のプロセッサ。
【請求項２１】
前記遷移パイロットチャネルの送信の後、少なくとも前記第２のネットワークに関する第２のオーバヘッド情報を送信するための手段をさらに備える請求項２０に記載のプロセッサ。
【請求項２２】
前記第２のパイロットシンボルおよび前記第３のパイロットシンボルは、２０４８のサンプルを含む請求項１８に記載のプロセッサ。
【請求項２３】
前記第１のネットワークは、ワイドエリアコンテンツネットワークであり、前記第２のネットワークは、ローカルエリアコンテンツネットワークである請求項１８に記載のプロセッサ。
【請求項２４】
信号フレームの中で、少なくともタイミング情報を通信するように構成された第１のパイロットシンボルを送信するための命令と、
第１のネットワークに関するネットワーク識別情報を含む第１の情報を通信するように構成された第２のパイロットシンボルを送信するための命令と、
少なくとも前記第１のネットワークに関する第１のオーバヘッド情報を送信するための命令と、
前記第２のパイロットシンボル、および前記第１のネットワークに関する前記オーバヘッド情報の送信の後、第２のネットワークに関するネットワーク識別情報を含む第２の情報を通信するように構成された第３のパイロットシンボルを送信するための命令とを備える命令のセットで符号化されるコンピュータ可読媒体。
【請求項２５】
前記第３のパイロットシンボルの送信の後、遷移パイロットチャネルを送信するための命令をさらに備え、前記遷移パイロットチャネルは、受信機によって処理されることが要求される情報を全く含まない請求項２４に記載のコンピュータ可読媒体。
【請求項２６】
前記第２のパイロットシンボルの送信の後、遷移パイロットチャネルを送信するための命令をさらに備え、前記遷移パイロットチャネルは、受信機によって処理されることが要求される情報を全く含まない請求項２４に記載のコンピュータ可読媒体。
【請求項２７】
前記遷移パイロットチャネルの送信の後、少なくとも前記第２のネットワークに関する第２のオーバヘッド情報を送信するための命令をさらに備える請求項２６に記載のコンピュータ可読媒体。
【請求項２８】
前記第２のパイロットシンボルおよび前記第３のパイロットシンボルは、２０４８のサンプルを含む請求項２４に記載のコンピュータ可読媒体。
【請求項２９】
前記第１のネットワークは、ワイドエリアコンテンツネットワークであり、前記第２のネットワークは、ローカルエリアコンテンツネットワークである請求項２４に記載のコンピュータ可読媒体。
【発明の詳細な説明】
【技術分野】
【０００１】
本開示は、一般に、無線通信に関し、より具体的には、無線通信システムにおいて使用するための信号フレーム構造を構成して、送信するための方法および装置に関する。
【背景技術】
【０００２】
ＯＦＤＭ（直交周波数分割多重化）は、高レートのディジタル信号をブロードキャストするための技術である。ＯＦＤＭシステムでは、単一の高レートのデータストリームが、いくつかの並行の低レートのサブストリームに分割され、各サブストリームは、それぞれの副キャリア周波数を変調するのに使用される。本発明は、直交振幅変調に関して説明されるものの、位相偏移変調システムにも同様に適用可能であることに留意されたい。
【０００３】
ＯＦＤＭシステムにおいて使用される変調技術は、ＱＡＭ（直交振幅変調）と呼ばれ、ＱＡＭでは、キャリア周波数の位相と振幅がともに変調される。ＱＡＭ変調では、複素ＱＡＭシンボルが、複数のデータビットから生成され、各シンボルは、実数項と虚数項とを含み、さらに、各シンボルは、そのシンボルが生成される元となった複数のデータビットを表す。複数のＱＡＭビットが、複素平面によって図に表されることが可能なパターンにおいて一緒に送信される。通常、このパターンは、「配置（constellation）」と呼ばれる。ＱＡＭ変調を使用することによって、ＯＦＤＭシステムは、システムの効率を向上させることができる。
【０００４】
信号がブロードキャストされる際、その信号が、複数のパスによって受信機に伝搬されることが可能なことがある。例えば、単一の送信機からの信号が、直線に沿って受信機まで伝搬されることが可能であり、さらに、この信号が、物理的物体に反射されて、異なるパスに沿って受信機まで伝搬されることも可能である。さらに、システムが、いわゆる「セルラー」ブロードキャスト技術を使用してスペクトル効率を向上させる場合、受信機を宛先とする信号が、複数の送信機によってブロードキャストされることが可能なことがある。このため、同一の信号が、複数のパスに沿って受信機に送信される。信号のそのような並行の伝搬は、人為的（すなわち、複数の送信機から同一の信号をブロードキャストすることによって生じる）であるか、自然（すなわち、エコーによって生じる）であるかにかかわらず、「マルチパス」と呼ばれる。セルラーディジタルブロードキャストは、スペクトル効率が高いが、マルチパスの問題点（considerations）に有効に対処する備えが行われなければならないことが、直ちに認識されよう。
【０００５】
幸いなことに、ＱＡＭ変調を使用するＯＦＤＭシステムは、単一のキャリア周波数だけしか使用されないＱＡＭ変調技術の場合と比べて、マルチパス条件（前述したとおり、セルラーブロードキャスト技術が使用される場合に必然的に生じる）の存在下で、より効果的である。より詳細には、単一キャリアＱＡＭシステムでは、一次パスと同等に強いエコーを有するチャネルを等化するのに、複素等化器が使用されなければならず、さらに、そのような等化は、実行するのが困難である。これに対して、ＯＦＤＭシステムでは、単に、各シンボルの始めに適切な長さのガード間隔を挿入することによって、複素等化器の必要性が、完全に解消されることが可能である。したがって、マルチパス条件が予期される場合、ＱＡＭ変調を使用するＯＦＤＭシステムが、選好される。
【０００６】
通常のトレリス符号化スキームでは、データストリームは、畳込み符号器を使用して符号化され、次に、連続するビットが、ＱＡＭシンボルになるビットグループの中で組み合わされる。いくつかのビットが、グループの中にあり、１グループ当たりのビットの数は、整数「ｍ」によって定義される（このため、各グループは、「ｍ−ａｒｙ」次元を有するという言い方がされる）。通常、「ｍ」の値は、４、５、６、または７であるが、これより大きいことも、小さいことも可能である。
【０００７】
これらのビットをグループ化してマルチビットシンボルにした後、それらのシンボルが、インターリーブされる。「インターリーブすること」が意味するのは、シンボルストリームの順序が並べ替えられて、チャネル劣化によって生じる潜在的な誤りをランダム化することである。例示すると、５つの語が送信されることになるものと想定されたい。インターリーブされていない信号の送信中、一時的なチャネル障害が生じた場合。これらの状況下で、チャネル障害がおさまるまでに、或る語全体が失われる可能性があり、その失われた語によってどのような情報が伝送されていたのかを知ることが、不可能ではないにしても、困難であり得る。
【０００８】
これに対して、送信に先立って、この５つの語の文字の順序が並べ替えられ（すなわち、「インターリーブされ」）、チャネル障害が生じた場合、いくつかの文字、場合により、１語当たり１つの文字が、失われる可能性がある。しかし、並べ替えられた文字を復号すると、５つすべての文字が、これらの語のいくつかに文字が欠落しているものの、現れる。これらの条件下で、ディジタル復号器が、そのデータを実質的に全部、回復するのは比較的容易であることが、直ちに認識されよう。ｍ−ａｒｙシンボルをインターリーブした後、これらのシンボルが、前述したＱＡＭ原理を使用して複素シンボルにマップされ、それぞれの副搬送波チャネルの中に多重化されて、送信される。
【発明の概要】
【０００９】
本開示の或る態様によれば、無線通信信号フレームを送信するための方法が、開示される。この方法は、この信号フレームの中で、少なくともタイミング情報を通信するように構成された第１のパイロットシンボルを送信すること、および第１のネットワークに関するネットワーク識別情報を含む第１の情報を通信するように構成された第２のパイロットシンボルを送信すること、少なくとも第１のネットワークに関する第１のオーバヘッド情報を送信することを含む。この方法は、第２のパイロットシンボル、および第１のネットワークに関するオーバヘッド情報の送信の後、第２のネットワークに関するネットワーク識別情報を含む第２の情報を通信するように構成された第３のパイロットシンボルを送信することをさらに含む。
【００１０】
本開示の別の態様によれば、無線通信信号フレームを送信するための方法が、第１のネットワークに関するネットワーク識別情報を含む第１の情報を通信するように構成された第１のパイロットシンボルを送信することを含む。この開示される方法は、少なくとも第１のネットワークに関する第１のオーバヘッド情報を送信すること、第１のパイロットシンボル、および第１のネットワークに関するオーバヘッド情報の送信の後、第２のネットワークに関するネットワーク識別情報を含む第２の情報を通信するように構成された第２のパイロットシンボルを送信すること、および第２のパイロットシンボルの送信の後、受信機によって処理されることが要求されるデータを全く含まない第１の遷移チャネルを送信することをさらに含む。
【００１１】
本開示のさらに別の態様によれば、送信機において使用するためのプロセッサが、開示される。このプロセッサは、信号フレームの中で、少なくともタイミング情報を通信するように構成された第１のパイロットシンボルを送信し、第１のネットワークに関するネットワーク識別情報を含む第１の情報を通信するように構成された第２のパイロットシンボルを送信し、少なくとも第１のネットワークに関する第１のオーバヘッド情報を送信し、さらに、第２のパイロットシンボル、および第１のネットワークに関するオーバヘッド情報の送信の後、第２のネットワークに関するネットワーク識別情報を含む第２の情報を通信するように構成された第３のパイロットシンボルを送信するように構成される。
【００１２】
本開示のさらに別の態様によれば、信号フレームの中で、少なくともタイミング情報を通信するように構成された第１のパイロットシンボルを送信するための手段を含む、送信機において使用するためのプロセッサが、開示される。また、このプロセッサは、第１のネットワークに関するネットワーク識別情報を含む第１の情報を通信するように構成された第２のパイロットシンボルを送信するための手段と、少なくとも第１のネットワークに関する第１のオーバヘッド情報を送信するための手段と、第２のパイロットシンボル、および第１のネットワークに関するオーバヘッド情報の送信の後、第２のネットワークに関するネットワーク識別情報を含む第２の情報を通信するように構成された第３のパイロットシンボルを送信するための手段も含む。
【００１３】
本開示のさらに別の態様によれば、命令のセットで符号化されるコンピュータ可読媒体が、開示される。これらの命令には、信号フレームの中で、少なくともタイミング情報を通信するように構成された第１のパイロットシンボルを送信するための命令が含まれる。さらに、第１のネットワークに関するネットワーク識別情報を含む第１の情報を通信するように構成された第２のパイロットシンボルを送信するための命令が、含まれる。また、これらの命令には、少なくとも第１のネットワークに関する第１のオーバヘッド情報を送信するための命令、ならびに第２のパイロットシンボル、および第１のネットワークに関するオーバヘッド情報の送信の後、第２のネットワークに関するネットワーク識別情報を含む第２の情報を通信するように構成された第３のパイロットシンボルを送信するための命令も含まれる。
【図面の簡単な説明】
【００１４】
【図１】図１ａは、或る実施形態によるチャネルインターリーバを示す図。図１ｂは、別の実施形態によるチャネルインターリーバを示す図。
【図２Ａ】或る実施形態によるインターリーブするバッファの中に入れられたターボパケットの符号ビットを示す図。
【図２Ｂ】或る実施形態によるＮ／ｍ行×ｍ列の行列に構成されたインターリーババッファを示す図。
【図３】或る実施形態によるインターリーブされたインターレーステーブルを示す図。
【図４】或る実施形態によるチャネル化図（channelization diagram）。
【図５】或る実施形態による、或る特定のスロットに関する良好なチャネル推定と劣悪なチャネル推定の長い連続（long runs）をもたらす、すべて１のシフト系列を有するチャネル化図。
【図６】均一に拡散された良好なチャネル推定と劣悪なチャネル推定のインターレースをもたらす、すべて２のシフト系列を有するチャネル化図。
【図７】或る実施形態によるインターリーブを実施するように構成された無線デバイスを示す図。
【図８】物理層パケットに関する例示的なフレーム検査系列計算を示すブロック図。
【図９】例示的なＯＦＤＭシンボルの持続時間を示すブロック図。
【図１０】例示的なスーパーフレームの構造、およびチャネル構造を示す図。
【図１１】送信機における例示的なＴＤＭパイロット１パケット処理を示すブロック図。
【図１２】ＴＤＭパイロット１副搬送波を変調するための例示的なＰＮ系列ジェネレータを示す図。
【図１３】ＱＰＳＫ変調に関する例示的な信号配置（signal constellation）を示す図。
【図１４】送信機におけるデータチャネル／予約されたＯＦＤＭシンボルの中のＴＤＭパイロット２／ＷＩＣ／ＬＩＣ／ＦＤＭパイロット／ＴＰＣ／割り当てられていないスロットの固定パターン処理を示すブロック図。
【図１５】ワイドエリア識別チャネルにおけるスロット割当ての例を示す図。
【図１６】例示的なスロットビットスクランブラを示す図。
【図１７】例示的なＬＩＣスロット割当てを示すブロック図。
【図１８】例示的なＴＤＭパイロット２スロット割当てを示すブロック図。
【図１９】送信機におけるＯＩＳ物理層パケット処理を示すブロック図。
【図２０】例示的なワイドエリア／ローカルエリアＯＩＳチャネル符号器を示すブロック図。
【図２１】例示的なターボ符号器アーキテクチャを示すブロック図。
【図２２】ターボインターリーバ出力アドレスを計算するための手順を示すブロック図。
【図２３】Ｎ＝２０である例示的なビットインターリーバを示すブロック図。
【図２４】データスロットバッファに対するワイドエリアＯＩＳチャネルターボ符号化パケットマッピングを示すブロック図。
【図２５】データスロットバッファに対するローカルエリアＯＩＳターボ符号化パケットマッピングを示す図。
【図２６】送信機においてデータチャネル物理層パケットを処理するための手順を示すブロック図。
【図２７】例示的なデータチャネル符号器を示すブロック図。
【図２８】階層化された変調のためのスロットバッファを埋めるための基本成分ビットと拡張成分ビットの例示的なインターリーブを示す図。
【図２９】３つのデータスロットバッファを占有するデータチャネルターボ符号化パケットを示す図。
【図３０】３つのデータスロットバッファを占有する基本成分ターボ符号化パケットと拡張成分ターボ符号化パケットを多重化することの例を示す図。
【図３１】３つのデータスロットバッファを占有するデータチャネルターボ符号化パケットの例を示す図。
【図３２】フレームの中の連続する３つのＯＦＤＭシンボルにわたる複数のＭＬＣに対するスロット割当ての例を示す図である。
【図３３】１６−ＱＡＭ変調に関する例示的な信号配置を示す図。
【図３４】階層化された変調に関する例示的な信号配置を示す図。
【図３５】ＦＤＭパイロットに対するインターレース割当てを示す図。
【図３６】スロットに対するインターレース割当てを示す図。
【図３７】例示的なＯＦＤＭ共通操作を示すブロック図。
【図３８】或る実施例による窓化（windowed）ＯＦＤＭシンボルの重なり合いを示す図。図３３は、１６−ＱＡＭ変調に関する例示的な信号配置を示す。
【図３９】シンボルＴＤＭ１、ＴＤＭ２、およびＴＤＭ３を含むスーパーフレーム構造の別の例を示す図。
【図４０】図３９に示されるスーパーフレームを配列して、送信するための例示的な方法を示す流れ図。
【図４１】図３９のスーパーフレームを組み立てて、送信するために送信機において使用するための例示的な送信機またはプロセッサを示す図。
【図４２】図３９に示されるスーパーフレームを送信するために本開示による送信機において使用するための送信機またはプロセッサの別の例を示す図。
【発明を実施するための形態】
【００１５】
或る実施形態において、チャネルインターリーバが、ビットインターリーバと、シンボルインターリーバとを備える。図１は、２つのタイプのチャネルインターリーブスキームを示す。両方のスキームとも、ビットインターリーブおよびビットインターレースを使用して、最大限のチャネルダイバーシティを実現する。
【００１６】
図１ａは、或る実施形態によるチャネルインターリーバを示す。図１ｂは、別の実施形態によるチャネルインターリーバを示す。図１ｂのインターリーバは、ビットインターリーバだけを使用して、ｍ−ａｒｙ変調ダイバーシティを実現し、さらに、２次元インターリーブされたインターレーステーブル、およびランタイムスロット−インターレースマッピングを使用して、明示的なシンボルインターリーブの必要なしに、より良好なインターリーブパフォーマンスをもたらす周波数ダイバーシティを実現する。
【００１７】
図１ａは、ビットインターリーブブロック１０４に入力されるターボ符号化ビット１０２を示す。ビットインターリーブブロック１０４が、配置シンボルマッピングブロック１０６に入力される、インターリーブされたビットを出力する。配置シンボルマッピングブロック１０６は、配置シンボルインターリーブブロック１０８に入力される、配置シンボルマップされたビットを出力する。配置シンボルインターリーブブロック１０８は、チャネル化ブロック１１０に配置シンボルインターリーブされたビットを出力する。チャネル化ブロック１１０は、インターレーステーブル１１２を使用して、配置シンボルインターリーブされたビットをインターレースして、ＯＦＤＭシンボル１１４を出力する。
【００１８】
図１ｂは、ビットインターリーブブロック１５４に入力されるターボ符号化ビット１５２を示す。ビットインターリーブブロック１５４は、配置シンボルマッピングブロック１５６に入力される、インターリーブされたビットを出力する。配置シンボルマッピングブロック１５は、チャネル化ブロック１５８に入力される、配置シンボルマッピングされたビットを出力する。チャネル化ブロック１５８は、インターリーブされたインターレーステーブルおよび動的スロットインターレースマッピング１６０を使用して、配置シンボルインターリーブされたビットをチャネル化し、ＯＦＤＭシンボル１６２を出力する。
【００１９】
（変調ダイバーシティのためのビットインターリーブ）
図１ｂのインターリーブは、ビットインターリーブ１５４を使用して、変調ダイバーシティを実現する。ターボパケットの符号ビット１５２は、隣接する符号ビットが異なる配置シンボルにマップされるようなパターンでインターリーブされる。例えば、２ｍ−Ａｒｙ変調の場合、Ｎビットインターリーババッファが、Ｎ／ｍ個のブロックに分割される。隣接する符号ビットは、図２ａ（上側）に示されるとおり、隣接するブロックに順次に書き込まれ、次に、バッファの始めから終わりまで順番に１つずつ読み取られる。このことにより、隣接する符号ビットが、異なる配置シンボルにマップされることが保証される。均等なこととして、図２ｂ（下側）に示されるとおり、インターリーババッファが、Ｎ／ｍ行×ｍ列の行列に構成される。符号ビットは、列ごとにバッファに書き込まれ、行ごとに読み取られる。配置シンボルのいくつかのビットが、マッピングに依存して、１６ＱＡＭに関するその他のビットよりも信頼できる、例えば、第１のビット、および第３のビットが、第２のビット、および第４のビットよりも信頼できるという事実に起因して、隣接する符号ビットが、配置シンボルの同一のビット位置にマップされるのを回避するのに、行は、交互に、左から右に読み出され、右から左に読み出されるべきである。
【００２０】
図２ａは、或る実施形態によるインターリーブバッファ２０４に入れられたターボパケット２０２の符号ビットを示す。図２ｂは、或る実施形態によるビットインターリーブ動作の図である。ターボパケット２５０の符号ビットは、図２ｂに示されるとおり、インターリーブバッファ２５２に入れられる。インターリーブバッファ２５２は、或る実施形態に従って、第２の列と第３の列を入れ替えて、ｍ＝４である、インターリーブバッファ２５４を作成することによって変換される。ターボパケット２５６のインターリーブされた符号ビットが、インターリーブバッファ２５４から読み取られる。
【００２１】
簡明のため、最高変調レベルが１６であり、符号ビット長が、常に４で割り切れる場合、固定のｍ＝４が使用されることが可能である。この事例において、ＱＰＳＫに関する分離を向上させるのに、中央の２つの列が、読み出される前に、入れ替えられる。この手順は、図２ｂ（下側）に示される。任意の２つの列が入れ替えられることが可能であることが、当業者には明白であろう。また、これらの列が、任意の順序で置かれることが可能であることも、当業者には明白であろう。また、これらの行が、任意の順序で置かれることが可能であることも、当業者には明白であろう。
【００２２】
別の実施形態において、第１のステップとして、ターボパケット２０２の符号ビットは、グループに分配される。図２ａと図２ｂの両方の実施形態は、符号ビットもグループに分配することに留意されたい。しかし、行または列を単に入れ替えるのではなく、各グループ内の符号ビットは、与えられた各グループに関するグループビット順序に応じてシャッフルされる。このため、グループに分配された後、１６の符号ビットの４つのグループの順序は、これらのグループの単純な線形順序を使用して、｛１，５，９，１３｝、｛２，６，１０，１４｝、｛３，７，１１，１５｝、｛４，８，１２，１６｝であることが可能であり、さらに、シャッフルの後、１６の符号ビットの４つのグループの順序は、｛１３，９，５，１｝、｛２，１０，６，１４｝、｛１１，７，１５，３｝、｛１２，８，４，１６｝であることが可能である。行または列を入れ替えることは、このグループ内シャッフルの退行的な（regressive）事例であることに留意されたい。
【００２３】
（周波数ダイバーシティのためのインターリーブされたインターレース）
或る実施形態によれば、チャネルインターリーバは、配置シンボルインターリーブのためにインターリーブされたインターレースを使用して、周波数ダイバーシティを実現する。このことにより、明示的な配置シンボルインターリーブの必要性が解消される。このインターリーブは、以下の２つのレベルで実行される。すなわち、
インターレース内インターリーブ、つまり、イントラインターレースインターリーブ  或る実施形態では、インターレースの５００の副搬送波が、ビット逆転の仕方でインターリーブされる。
【００２４】
インターレース間インターリーブ、つまり、インターインターレースインターリーブ  或る実施形態では、８つのインターレースが、ビット逆転の仕方でインターリーブされる。
【００２５】
副搬送波の数は、５００以外であることが可能であることが、当業者には明白であろう。また、インターレースの数は、８以外であることが可能であることも、当業者には明白であろう。
【００２６】
５００は、２の累乗ではないので、或る実施形態に従って縮小セットビット逆転操作が、使用されるべきであることに留意されたい。以下のコードが、この操作を示す。すなわち、
【数１】
2010505371.tif 000003
【００２７】
ただし、ｎ＝５００であり、ｍは、２ｍ＞ｎであるような最小の整数であり、この整数は、８であり、さらに、ｂｉｔＲｅｖは、通常のビット逆転操作である。
【００２８】
データチャネルの配置シンボル系列のシンボルは、或る実施形態に従って、図３に示されるとおり、インターレーステーブルを使用して、チャネライザ（channelizer）によって決定された、割り当てられたスロットインデックスに従って順次の線形の仕方で、対応する副搬送波にマップされる。
【００２９】
図３は、或る実施形態によるインターリーブされたインターレーステーブルを示す。ターボパケット３０２、配置シンボル３０４、およびインターリーブされたインターレーステーブル３０６が、示される。やはり示されているのが、インターレース３（３０８）、インターレース４（３１０）、インターレース２（３１２）、インターレース６（３１４）、インターレース１（３１６）、インターレース５（３１８）、インターレース３（３２０）、およびインターレース７（３２２）である。
【００３０】
或る実施形態では、８つのインターレースのうち１つが、パイロットのために使用され、すなわち、インターレース２とインターレース６が、パイロットのために交互に使用される。その結果、チャネライザは、スケジューリングのために７つのインターレースを使用することが可能である。便宜上、チャネライザは、スケジューリング単位としてスロットを使用する。スロットは、ＯＦＤＭシンボルの１つのインターレースと定義される。インターレーステーブルが、スロットを或る特定のインターレースにマップするのに使用される。８つのインターレースが使用されるので、８つのスロットが存在する。７つのスロットが、チャンネル化のために使用されるように取っておかれ、１つのスロットが、パイロットのために取っておかれる。一般性を失うことなしに、垂直軸がスロットインデックス４０２であり、水平軸がＯＦＤＭシンボルインデックス４０４であり、さらに太字のエントリが、ＯＦＤＭシンボル時刻に、対応するスロットに割り当てられたインターレースインデックスである図４に示されるとおり、スロット０が、パイロットのために使用され、さらに、スロット１ないし７が、チャネル化のために使用される。
【００３１】
図４は、或る実施形態によるチャネル化図を示す。図４は、スケジューラ４０６のために確保されたスロットインデックス、およびパイロット４０８のために確保されたスロットインデックスを示す。太字のエントリは、インターレースインデックス数である。正方形を有する数は、パイロットに隣接しており、したがって、良好なチャネル推定を有するインターレースである。
【００３２】
正方形で囲まれた数は、パイロットに隣接しており、したがって、良好なチャネル推定を有するインターレースである。スケジューラは、常に、隣接するスロットのチャンク、およびＯＦＤＭシンボルをデータチャネルに割り当てるので、インターレース間インターリーブのために、データチャネルに割り当てられた隣接するスロットは、不連続なインターレースにマップされることが明らかである。すると、さらなる周波数ダイバーシティ利得が、達せられることが可能である。
【００３３】
しかし、この静的割当て（すなわち、スロット−物理インターレースマッピングテーブルは、スケジューラスロットテーブルが、パイロットスロットを含まない場合、経時的に変化しない）は、１つの問題を抱えている。つまり、或るデータチャネル割当てブロック（長方形を想定して）が、複数のＯＦＤＭシンボルを占める場合、このデータチャネルに割り当てられたインターレースは、経時的に変化せず、周波数ダイバーシティが失われることをもたらす。対応策は、単に、スケジューラインターレーステーブル（すなわち、パイロットインターレースを除く）をＯＦＤＭシンボルからＯＦＤＭシンボルに巡回シフトすることである。
【００３４】
図５は、１つのＯＦＤＭシンボル当たり１回、スケジューラインターレーステーブルをシフトする操作を示す。このスキームは、静的インターレース割当て問題をうまく消滅させ、すなわち、或る特定のスロットは、異なるＯＦＤＭシンボル時刻に異なるインターレースにマップされる。
【００３５】
図５は、或る実施形態による、或る特定のスロット５０２に関する良好なチャネル推定と劣悪なチャネル推定の長い連続をもたらす、すべて１のシフト系列を有するチャネル化図を示す。図５は、スケジューラ５０６のために確保されたスロットインデックス、およびパイロット５０８のために確保されたスロットインデックスを示す。スロットシンボルインデックス５０４が、水平軸上に示される。
【００３６】
しかし、スロットには、良好なチャネル推定インターレースの短い連続、および劣悪なチャネル推定を有するインターレースの短い連続の好ましいパターンとは異なり、良好なチャネル推定を有する、連続する４つのインターレース、および、その後に続く、劣悪なチャネル推定を有するインターレースの長い連続が割り当てられていることに注目されたい。この図において、パイロットインターレースに隣接するインターレースには、正方形で印が付けられている。良好なチャネル推定と劣悪なチャネル推定の長い連続の問題に対する問題解決法は、すべて１の系列以外のシフト系列を使用することである。この課題を果たすのに使用されることが可能な多くの系列が、存在する。最も単純な系列は、すべて２の系列であり、すなわち、スケジューラインターレーステーブルが、１つのＯＦＤＭシンボル当たり１回ではなく、２回、シフトされる。チャネライザインターレースパターンを大幅に向上させる結果は、図６に示される。このパターンは、２×７＝１４個のＯＦＤＭシンボルごとに繰り返され、ただし、２は、パイロットインターレーススタガリング周期であり、７は、チャネライザインターレースシフト周期であることに留意されたい。
【００３７】
送信機と受信機の両方における動作を単純化するのに、単純な式を使用して、所与のＯＦＤＭシンボル時刻におけるスロットからインターレースへのマッピングが決定されることが可能である。
【数２】
2010505371.tif 000004
【００３８】
ただし、
Ｎ＝Ｉ−１は、Ｉが、インターレースの総数である、トラヒックデータスケジューリングのために使用されるインターレースの数であり、
パイロットインターレースを除き、．ｉ∈｛０，１，．．．，Ｉ−１｝は、ＯＦＤＭシンボルｔにおけるスロットｓがマップされるインターレースインデックスであり、
ｔ＝０，１，．．，Ｔ−１は、Ｔが、フレーム１の中のＯＦＤＭシンボルの総数である、スーパーフレームの中のＯＦＤＭシンボルインデックスであり（現在の設計におけるフレームの中のＯＦＤＭシンボルの数は、１４で割り切れないので、フレームの中ではなく、スーパーフレームの中のＯＦＤＭシンボルインデックスにより、さらなるダイバーシティがフレームに与えられる。）、
ｓ＝１，２，．．．，Ｓ−１Ｓは、Ｓが、スロットの総数である、スロットインデックスであり、
【数３】
2010505371.tif 000005
【００３９】
は、１つのＯＦＤＭシンボル当たりのシフトの数であり、
【数４】
2010505371.tif 000006
【００４０】
は、縮小セットビット逆転演算子である。つまり、パイロットによって使用されるインターレースは、ビット逆転操作から除外されるべきである。
【００４１】
例  或る実施形態において、Ｉ＝８であり、Ｒ＝２である。対応するスロット−インターレースマッピングの式は、
【数５】
2010505371.tif 000007
【００４２】
となり、
ただし、
【数６】
2010505371.tif 000008
【００４３】
は、以下のテーブルに対応する、すなわち、
【表１】
2010505371.tif 000009
【００４４】
このテーブルは、以下のコードによって生成されることが可能である。すなわち、
【数７】
2010505371.tif 000010
【００４５】
ただし、ｍ＝３であり、さらに、ｂｉｔＲｅｖは、通常のビット逆転操作である。
【００４６】
ＯＦＤＭシンボルｔ＝１１の場合、パイロットは、インターレース６を使用する。スロットとインターレースの間のマッピングは、以下のとおりとなる。すなわち、
スロット１は、
【数８】
2010505371.tif 000011
【００４７】
のインターレースにマップされ、
スロット２は、
【数９】
2010505371.tif 000012
【００４８】
のインターレースにマップされ、
スロット３は、
【数１０】
2010505371.tif 000013
【００４９】
のインターレースにマップされ、
スロット４は、
【数１１】
2010505371.tif 000014
【００５０】
のインターレースにマップされ、
スロット５は、
【数１２】
2010505371.tif 000015
【００５１】
のインターレースにマップされ、
スロット６は、
【数１３】
2010505371.tif 000016
【００５２】
のインターレースにマップされ、
スロット７は、
【数１４】
2010505371.tif 000017
【００５３】
のインターレースにマップされる。
【００５４】
もたらされるマッピングは、図６におけるマッピングと合致する。図６は、均一に拡散された良好なチャネル推定と劣悪なチャネル推定のインターレースをもたらす、すべて２のシフト系列を有するチャネル化図を示す。
【００５５】
或る実施形態によれば、インターリーバは、以下の特徴を有する。すなわち、
ビットインターリーバは、符号ビットを異なる変調シンボルの中にインターリーブすることによってｍ−Ａｒｙ変調ダイバーシティを活用するように設計される。
【００５６】
インターレース内インターリーブおよびインターレース間インターリーブによって周波数ダイバーシティを実現するように設計された「シンボルインターリーブ」。
【００５７】
さらなる周波数ダイバーシティ利得およびチャネル推定利得が、ＯＦＤＭシンボルからＯＦＤＭシンボルにスロット−インターレースマッピングテーブルを変更することによって達せられる。この目標を達するのに単純なローテーション系列が、提案される。
【００５８】
図７は、或る実施形態によるインターリーブを実施するように構成された無線デバイスを示す。無線デバイス７０２が、アンテナ７０４、デュプレクサ７０６、受信機７０８、送信機７１０、プロセッサ７１２、およびメモリ７１４を備える。プロセッサ７１２は、或る実施形態に従ってインターリーブを実行することができる。プロセッサ７１２は、バッファまたはデータ構造のためにメモリ７１４を使用して、プロセッサ７１２の動作を実行する。
【００５９】
以下の説明は、さらなる実施形態の詳細を含む。
【００６０】
物理層の伝送単位は、物理層パケットである。物理層パケットは、１０００ビットの長さを有する。物理層パケットは、１つのＭＡＣ層パケットを伝送する。
【００６１】
（物理層パケットフォーマット）
物理層パケットは、以下のフォーマットを使用しなければならない。すなわち、
【表２】
2010505371.tif 000018
【００６２】
ただし、ＭＡＣ層パケットは、ＯＩＳチャネルＭＡＣプロトコル、データチャネルＭＡＣプロトコル、または制御チャネルＭＡＣプロトコルからのＭＡＣ層パケットであり、ＦＣＳは、フレーム検査系列であり、予約済みは、ＦＬＯネットワークが、このフィールドを０に設定して、ＦＬＯデバイスが、このフィールドを無視すべき、予約済みのビットであり、さらに、ＴＡＩＬは、すべて０に設定されるべき符号器末端ビットである。
【００６３】
以下のテーブルは、物理層パケットのフォーマットを例示する。すなわち、
【表３】
2010505371.tif 000019
【００６４】
（ビット送信順序）
物理層パケットの各フィールドは、ＭＳＢ（最上位ビット）が最初に送信され、ＬＳＢ（最下位ビット）が最後に送信されるように順次に送信されなければならない。ＭＳＢは、本明細書の図において左端のビットである。
【００６５】
（ＦＣＢビットの計算）
本明細書で説明されるＦＣＳ計算は、物理層パケットの中のＦＣＳフィールドを計算するために使用されなければならない。
【００６６】
ＦＣＳは、以下の標準のＣＲＣ−ＣＣＩＴＴジェネレータ多項式を使用して計算されるＣＲＣでなければならない。すなわち、
【数１５】
2010505371.tif 000020
【００６７】
ＦＣＳは、図８にも示される、以下に説明される手順に従って計算される値と等しくなければならない。
【００６８】
すべてのシフトレジスタ要素は、「１」に初期設定されなければならない。１へのレジスタの初期設定により、すべて０のデータに関するＣＲＣが、０でなくなることに留意されたい。
【００６９】
スイッチは、アップ位置に設定されなければならない。
【００７０】
レジスタは、ＦＣＳビット、予約済みビット、およびＴＡＩＬビットを除いて、物理層パケットの各ビットに関して１回、クロック制御（clock）されなければならない。物理層パケットは、ＭＳＢからＬＳＢまで読み取られなければならない。
【００７１】
スイッチは、出力が、「０」とのモジュロ２加算（modulo-2 addition with a '0'）であり、さらに、連続するシフトレジスタ入力が、「０」であるように、ダウン位置に設定されなければならない。
【００７２】
レジスタは、１６のＦＣＳビットに関して、さらに１６回、クロック制御されなければならない。
【００７３】
出力ビットは、予約済みフィールドおよびＴＡＩＬフィールドを除いて、物理層パケットのすべてのフィールドを構成する。
【００７４】
（ＦＬＯネットワーク要件）
以下の説明セクションは、ＦＬＯネットワーク機器およびＦＬＯネットワーク動作に固有の要件を定義する。
【００７５】
（送信機）
以下の要件は、ＦＬＯネットワーク送信機に適用されなければならない。送信機は、８つの６ＭＨｚ幅の帯域の１つにおいて動作しなければならないが、５ＭＨｚ、７ＭＨｚ、および８ＭＨｚの送信帯域幅をサポートすることも可能である。各６ＭＨｚの送信帯域割当てが、ＦＬＯ  ＲＦチャネルと呼ばれる。各ＦＬＯ  ＲＦチャネルは、インデックスｊ∈｛１，２，．．８｝で表されなければならない。各ＦＬＯ  ＲＦチャネルインデックスに関する送信帯域および帯域中心周波数は、以下のテーブル１において指定されるとおりでなければならない。
【表４】
2010505371.tif 000021
【００７６】
実際の送信キャリア周波数と、指定される送信周波数との間の最大周波数差は、テーブル１における帯域中心周波数の±２×１０−９未満でなければならない。
【００７７】
帯域内スペクトル特性および帯域外スペクトルマスクが、特定されるべきであることに留意されたい。
【００７８】
電力出力特性は、送信ＥＲＰが、５０ｋＷに相当する４６．９８ｄＢＷ未満であるべきであるようになっている。
【００７９】
（ＯＦＤＭ変調特性）
無線リンク上で使用される変調は、ＯＦＤＭ（直交周波数分割多重化）である。最小伝送間隔は、１つのＯＦＤＭシンボル周期に相当する。ＯＦＤＭ送信シンボルは、別々に変調された多くの副搬送波から成る。ＦＬＯシステムは、０から４０９５まで番号が付けられた、４０９６個の副搬送波を使用しなければならない。これらの副搬送波は、別々の２つのグループに分割される。
【００８０】
副搬送波の第１のグループは、利用可能な４０９６個の副搬送波のうちのガード副搬送波であり、９６個が、未使用でなければならない。これらの未使用の副搬送波が、ガード副搬送波と呼ばれる。これらのガード副搬送波でエネルギーは、全く伝送されてはならない。０から４７まで、２０４８、および４０４９から４０９５までの番号が付けられた副搬送波が、ガード副搬送波として使用されなければならない。
【００８１】
第２のグループは、活性の副搬送波である。活性の副搬送波は、インデックスｋ∈｛４８．．２０４７，２０４９．．４０４８｝を有する４０００個の副搬送波のグループでなければならない。活性の各副搬送波は、変調シンボルを伝送しなければならない。
【００８２】
ＦＬＯシステムにおける副搬送波間隔に関して、これら４０９６個の副搬送波は、６ＭＨｚのＦＬＯ  ＲＦチャネルの中心における５．５５ＭＨｚの帯域幅にわたっていなければならない。副搬送波間隔、（Δｆ）ＳＣは、以下によって与えられなければならない。すなわち、
【数１６】
2010505371.tif 000022
【００８３】
副搬送波周波数に関して、第ｋ番のＦＬＯ  ＲＦチャネル（前出のテーブル１を参照）におけるインデックスｉを有する副搬送波の周波数、ｆＳＣ（ｋ，ｉ）は、以下の式に従って計算されなければならない。
【数１７】
2010505371.tif 000023
【００８４】
ただし、ｆＣ（ｋ）は、第ｋ番のＦＬＯ  ＲＦチャネルに関する中心周波数であり、（Δｆ）ＳＣは、副搬送波間隔である。
【００８５】
（副搬送波インターレース）
活性の副搬送波は、０から７までのインデックスが付けられた８つのインターレースに細分されなければならない。各インターレースは、５００の副搬送波から構成されなければならない。インターレースにおける副搬送波は、［８×（Δｆ）ＳＣ］Ｈｚの周波数間隔を置かなければならず（インデックス２０４８を有する副搬送波は、使用されないので、インターレースの中央における２つの副搬送波が、１６×（Δｆ）ＳＣだけ離隔される、インターレース０を除いて）、（Δｆ）ＳＣは、副搬送波間隔である。
【００８６】
各インターレースにおける副搬送波は、ＦＬＯ  ＲＦチャネル帯域幅の５．５５ＭＨｚにわたっていなければならない。インデックスｉを有する活性の副搬送波は、インターレースＩｊに割り当てられなければならず、ただし、ｊ＝ｉ  ｍｏｄ  ８である。各インターレースにおける副搬送波インデックスは、昇順で順次に並べられなければならない。インターレースにおける副搬送波の番号付けは、０，１，．．．４９９の範囲内になければならない。
【００８７】
（フレーム構造およびチャネル構造）
送信される信号は、スーパーフレームに編成される。各スーパーフレームは、１秒に等しい持続時間ＴＳＦを有さなければならず、１２００個のＯＦＤＭシンボルから構成されなければならない。スーパーフレームの中のＯＦＤＭシンボルには、０から１１９９までの番号が付けられなければならない。ＯＦＤＭシンボル間隔ＴＳは、８３３．３３．．．マイクロ秒でなければならない。ＯＦＤＭシンボルは、ＯＦＤＭチップと呼ばれる、いくつかの時間領域ベースバンドサンプルから成る。これらのチップは、毎秒５．５５×１０６個のレートで送信されなければならない。
【００８８】
全体のＯＦＤＭシンボル間隔ＴＳ’は、次の４つの部分から成る。すなわち、図９に示されるとおり、持続時間ＴＵを有する有用な部分、持続時間ＴＦＧＩを有する平坦なガード間隔、および両側の持続時間ＴＷＧＩの、２つの窓化間隔である。連続するＯＦＤＭシンボルの間にＴＷＧＩの重なり合いが存在しなければならない。
【００８９】
有効なＯＦＤＭシンボル間隔は、ＴＳ＝ＴＷＧＩ＋ＴＦＧＩ＋ＴＵであり、
【数１８】
2010505371.tif 000024
【００９０】
図９における合計シンボル持続時間は、ＴＳ’＝ＴＳ＋ＴＷＧＩである。
【００９１】
この有効なＯＦＤＭシンボル持続時間を、以降、ＯＦＤＭシンボル間隔と呼ぶものとする。ＯＦＤＭシンボル間隔中、変調シンボルが、活性の搬送波のそれぞれで搬送されなければならない。
【００９２】
ＦＬＯ物理層チャネルは、ＴＤＭパイロットチャネル、ＦＤＭパイロットチャネル、ＯＩＳチャネル、およびデータチャネルである。ＴＤＭパイロットチャネル、ＯＩＳチャネル、およびデータチャネルは、スーパーフレームにわたって時間分割多重化されなければならない。ＦＤＭパイロットチャネルは、図１０に示されるとおり、スーパーフレームにわたってＯＩＳチャネルおよびデータチャネルと周波数分割多重化されなければならない。
【００９３】
ＴＤＭパイロットチャネルは、ＴＤＭパイロット１チャネル、ＷＩＣ（ワイドエリア識別チャネル）、ＬＩＣ（ローカルエリア識別チャネル）、ＴＤＭパイロット２チャネル、ＴＰＣ（遷移パイロットチャネル）、およびＰＰＣ（測位パイロットチャネル）から成る。ＴＤＭパイロット１チャネル、ＷＩＣ、ＬＩＣ、およびＴＤＭパイロット２チャネルはそれぞれ、１つのＯＦＤＭシンボルにわたり、さらに、スーパーフレームの始めに現れなければならない。１つのＯＦＤＭシンボルにわたるＴＰＣ（遷移パイロットチャネル）が、それぞれのワイドエリアおよびローカルエリアのデータチャネル送信またはＯＩＳチャネル送信に先行するとともに、その後に続かなければならない。ワイドエリアチャネル（ワイドエリアＯＩＳまたはワイドエリアデータ）の傍らに位置するＴＰＣは、ＷＴＰＣ（ワイドエリア遷移パイロットチャネル）と呼ばれる。ローカルエリアチャネル（ローカルエリアＯＩＳまたはローカルエリアデータチャネル）の傍らに位置するＴＰＣは、ＬＴＰＣ（ローカルエリア遷移パイロットチャネル）と呼ばれる。ＷＴＰＣおよびＬＴＰＣはそれぞれ、１０のＯＦＤＭシンボルを占有し、スーパーフレームの中で２０のＯＦＤＭシンボルを一緒に占有する。ＰＰＣは、可変の持続時間を有するべきであり、ＰＰＣのステータス（存在または欠如、および持続時間）は、ＯＩＳチャネルを介してシグナリングされなければならない。存在する場合、ＰＰＣは、スーパーフレームの終わりで６、１０、または１４のＯＦＤＭシンボルにわたっていなければならない。ＰＰＣが存在しない場合、２つのＯＦＤＭシンボルが、スーパーフレームの終わりに取っておかれなければならない。
【００９４】
ＯＩＳチャネルは、スーパーフレームの中で１０のＯＦＤＭシンボルを占有しなければならず、スーパーフレームの中で最初のＷＴＰＣ  ＯＦＤＭシンボルの直ぐ後に続かなければならない。ＯＩＳチャネルは、ワイドエリアＯＩＳチャネルと、ローカルエリアＯＩＳチャネルとから成る。ワイドエリアＯＩＳチャネルおよびローカルエリアＯＩＳチャネルはそれぞれ、５つのＯＦＤＭシンボルの持続時間を有し、２つのＴＰＣ  ＯＦＤＭシンボルだけ離隔していなければならない。
【００９５】
ＦＤＭパイロットチャネルは、１１７４、１１７０、１１６６、または１１６２のＯＦＤＭにわたっていなければならない。これらの値は、予約済みの２つのＯＦＤＭシンボルが、または６つのＰＰＣ  ＯＦＤＭシンボル、１０のＰＰＣ  ＯＦＤＭシンボル、および１４のＰＰＣ  ＯＦＤＭシンボルが、それぞれ、スーパーフレームの中の各スーパーフレームシンボルの中に存在することに相当する。これらの値は、予約済みの２つのＯＦＤＭシンボルが、または６つのＰＰＣ  ＯＦＤＭシンボル、１０のＰＰＣ  ＯＦＤＭシンボル、および１４のＰＰＣ  ＯＦＤＭシンボルが、それぞれ、各スーパーフレームの中に存在することに相当することに留意されたい。ＦＤＭパイロットチャネルは、ワイドエリアおよびローカルエリアのＯＩＳチャネルおよびデータチャネルと周波数分割多重化される。
【００９６】
データチャネルは、１１６４、１１６０、１１５６、または１１５２のＯＦＤＭシンボルにわたっていなければならない。これらの値は、予約済みの２つのＯＦＤＭシンボルが、または６つのＰＰＣ  ＯＦＤＭシンボル、１０のＰＰＣ  ＯＦＤＭシンボル、および１４のＯＦＤＭシンボルが、それぞれ、各スーパーフレームの中に存在することに相当することに留意されたい。データチャネル送信に加え、各データチャネル送信の直前の、または直ぐ後に続く１６のＴＰＣ  ＯＦＤＭシンボル送信が、４つのフレームに分割される。
【００９７】
Ｐが、ＰＰＣの中のＯＦＤＭシンボルの数、あるいは、スーパーフレームの中にＰＰＣが存在しない場合に、予約済みのＯＦＤＭシンボルの数であり、Ｗが、フレームの中のワイドエリアデータチャネルに関連するＯＦＤＭシンボルの数であり、Ｌが、フレームの中のローカルエリアデータチャネルに関連するＯＦＤＭシンボルの数であり、さらに、Ｆが、フレームの中のＯＦＤＭシンボルの数である、フレームパラメータが設定されるものとする。次に、これらのフレームパラメータが、以下の式セットによって関連付けられることが可能である。すなわち、
【数１９】
2010505371.tif 000025
【００９８】
図１０は、Ｐ、Ｗ、およびＬに関してスーパーフレーム構造およびチャネル構造を示す。ＰＰＣが存在しない場合、各フレームは、２９５のＯＦＤＭシンボルにわたって、２４５．８３３３．ミリ秒に等しい持続時間ＴＦを有さなければならない。各スーパーフレームの終わりに、予約済みの２つのＯＦＤＭシンボルが存在することに留意されたい。ＰＰＣが、スーパーフレームの終わりに存在する場合、各フレームは、以下のテーブル３の中で指定されるとおり、可変の数のＯＦＤＭシンボルにわたっていなければならない。
【表５】
2010505371.tif 000026
【００９９】
各フレーム中のデータチャネルは、ローカルエリアデータチャネルとワイドエリアデータチャネルの間で時間分割多重化されなければならない。ワイドエリアデータに割り当てられるフレームの割合は、
【数２０】
2010505371.tif 000027
【０１００】
であり、０％から１００％まで様々である可能性がある。
【０１０１】
ＯＩＳチャネルを介して送信される物理層パケットは、ＯＩＳパケットと呼ばれ、データチャネルを介して送信される物理層パケットは、データパケットと呼ばれる。
【０１０２】
（フロー成分および階層化された変調）
ＦＬＯネットワークを介してマルチキャストされるフローに関連するオーディオコンテンツまたはビデオコンテンツは、２つの成分、すなわち、広範な受信を享受するＢ（基本）成分、およびより限られたカバレッジエリアにわたって、基本成分によってもたらされるオーディオビジュアル体験を向上させるＥ（拡張）成分において送信されることが可能である。
【０１０３】
基本成分物理層パケットと拡張成分物理層パケットは、変調シンボルに一緒にマップされる。このＦＬＯフィーチャは、階層化された変調として知られる。
【０１０４】
（ＭｅｄｉａＦＬＯ論理チャネル）
物理層によって送信されるデータパケットは、ＭＬＣ（ＭｅｄｉａＦＬＯ論理チャネル）と呼ばれる１つまたは複数の仮想チャネルに関連付けられる。ＭＬＣは、ＦＬＯデバイスの受信対象とは無関係であるＦＬＯサービスの復号可能な成分である。サービスは、複数のＭＬＣを介して送信されることが可能である。しかし、サービスに関連するオーディオフローまたはビデオフローの基本成分と拡張成分は、単一のＭＬＣを介して送信されなければならない。
【０１０５】
（ＦＬＯ送信モード）
変調タイプと内部符号レートの組み合わせは、「送信モード」と呼ばれる（このモードは、ＯＩＳチャネルだけに関して使用される。）。ＦＬＯシステムは、後段に見られるテーブル４の中で列挙される１２の送信モードをサポートしなければならない。
【０１０６】
ＦＬＯネットワークにおいて、送信モードは、ＭＬＣがインスタンス化され、稀にしか変更されない場合、固定である。この制約は、各ＭＬＣに関して一定したカバレッジエリアを保つために課せられる。
【表６】
2010505371.tif 000028
【０１０７】
（ＦＬＯスロット）
ＦＬＯネットワークにおいて、ＯＦＤＭシンボルにわたるＭＬＣに割り当てられる帯域幅の最小単位は、５００の変調シンボルのグループに相当する。５００の変調シンボルの、このグループは、スロットと呼ばれる。スケジューラファンクション（ＭＡＣ層における）が、スーパーフレームのデータ部分中にＭＬＣにスロットを割り当てる。スケジューラファンクションは、ＯＦＤＭシンボルの中のＭＬＣに送信のための帯域幅を割り当てる際、整数単位のスロットで、そうする。
【０１０８】
スーパーフレームの中でＴＤＭパイロット１チャネルを除いて、すべてのＯＦＤＭシンボルの間に８つのスロットが、存在する。これらのスロットに０から７までの番号が付けられるものとする。ＷＩＣチャネルおよびＬＩＣチャネルはそれぞれ、１つのスロットを占有しなければならない。ＴＤＭパイロット２チャネルは、４つのスロットを占有しなければならない。ＴＰＣ（ワイドエリアおよびローカルエリア）は、８つすべてのスロットを占有しなければならない。ＦＤＭパイロットチャネルは、インデックス０を有する１つのスロットを占有しなければならず、さらに、ＯＩＳ／データチャネルは、１から７までのインデックスを有する７つまでのスロットを占有することが可能である。各スロットは、インターレースを介して送信されなければならない。スロットからインターレースへのマッピングは、ＯＦＤＭシンボルごとに異なり、以下にさらに詳細に説明される。
【０１０９】
（ＦＬＯデータレート）
ＦＬＯシステムにおいて、データレートの計算は、異なるＭＬＣが、異なるモードを利用する可能性があるという事実によって複雑になる。データレートの計算は、すべてのＭＬＣが同一の送信モードを使用するものと想定することによって単純化される。以下のテーブル５は、７つすべてのデータスロットが使用されるものと想定して、異なる送信モードに関する物理層データレートを与える。
【表７】
2010505371.tif 000029
【０１１０】
前出のテーブル５において、「物理層データレート」というラベルが付けられた列における値に関して、ＴＤＭパイロットチャネルおよび外部符号に起因するオーバヘッドは、引かれていないことに留意されたい。このレートは、データチャネル中にデータが送信されるレートである。モード６ないし１１に関して、引き合いに出されているレートは、２つの成分の複合レートである。各成分に関するレートは、この値の１／２である。
【０１１１】
（ＦＬＯ物理層チャネル）
ＦＬＯ物理層は、以下のサブチャネル、すなわち、ＴＤＭパイロットチャネル、ワイドエリアＯＩＳチャネル、ローカルエリアＯＩＳチャネル、ワイドエリアＦＤＭパイロットチャネル、ローカルエリアＦＤＭパイロットチャネル、ワイドエリアデータチャネル、およびローカルエリアデータチャネルから成る。
【０１１２】
（ＴＤＭパイロットチャネル）
ＴＤＭパイロットチャネルは、以下の成分チャネル、すなわち、ＴＤＭパイロット１チャネル、ＷＩＣ（ワイドエリア識別チャネル）、ＬＩＣ（ローカルエリア識別チャネル）、およびＴＤＭパイロット２チャネル、ＴＰＣ（遷移パイロットチャネル）から成る。
【０１１３】
（ＴＤＭパイロット１チャネル）
ＴＤＭパイロット１チャネルは、１つのＯＦＤＭシンボルにわたっていなければならない。ＴＤＭパイロット１チャネルは、スーパーフレームの中でＯＦＤＭシンボルインデックス０において送信されなければならない。ＴＤＭパイロット１チャネルは、新たなスーパーフレームの開始をシグナリングする。ＴＤＭパイロット１チャネルは、ＦＬＯデバイスによって、粗いＯＦＤＭシンボルタイミング、スーパーフレーム境界、およびキャリア周波数オフセットを特定するために使用されることが可能である。
【０１１４】
ＴＤＭパイロット１波形は、図１１に示されるステップを使用して、送信機において生成されなければならない。
【０１１５】
（ＴＤＭパイロット１副搬送波）
ＴＤＭパイロット１ＯＦＤＭシンボルは、活性の副搬送波の間で均一に間隔をあけられた、周波数領域における０でない１２４の副搬送波から構成されなければならない。第ｉ番のＴＤＭパイロット１副搬送波は、以下のとおり定義される副搬送波インデックスｊに対応しなければならない。すなわち、
【数２１】
2010505371.tif 000030
【０１１６】
ＴＤＭパイロット１チャネルは、インデックス２０４８を有する副搬送波を使用しないことに留意されたい。
【０１１７】
（ＴＤＭパイロット１固定情報パターン）
ＴＤＭパイロット１副搬送波は、固定情報パターンで変調されなければならない。このパターンは、ジェネレータ系列ｈ（Ｄ）＝Ｄ２０＋Ｄ１７＋１、および初期状態「１１１１００００１０００００００００００」を用いて、２０タップＬＦＳＲ（線形フィードバックシフトレジスタ）を使用して生成されなければならない。各出力ビットは、以下のとおり獲得されなければならない。すなわち、ＬＦＳＲ状態が、ベクトル［ｓ２０ｓ１９ｓ１８ｓ１７ｓ１６ｓ１５ｓ１４ｓ１３ｓ１２ｓ１１ｓ１０ｓ９ｓ８ｓ７ｓ６ｓ５ｓ４ｓ３ｓ２ｓ１］である場合、出力ビットは、
【数２２】
2010505371.tif 000031
【０１１８】
でなければならず、ただし、
【数２３】
2010505371.tif 000032
【０１１９】
は、スロット１に関連するマスク（後段のテーブル６を参照）に対応する、モジュロ２加算を表す。ＬＦＳＲ構造は、図１２において指定されるとおりでなければならない。
【０１２０】
この固定の情報パターンは、最初の２４８の出力ビットに対応しなければならない。この固定パターンの最初の３５ビットは、「１１０」が最初に現れる、「１１０１０１００１００１１０１１０１１１００１１００１０１１００００１」でなければならない。
【０１２１】
２４８ビットのＴＤＭパイロット１固定パターンは、ＴＤＭパイロット１情報パケットと呼ばれ、Ｐ１Ｉとして表される。
【０１２２】
Ｐ１Ｉパケットの中の連続する２つのビットの各グループが、ＱＰＳＫ変調シンボルを生成するのに使用されなければならない。
【０１２３】
（変調シンボルマッピング）
ＴＤＭパイロット１情報パケットの中で、ｓ０およびｓ１というラベルがそれぞれ付けられた連続する２つのビットの各グループ、ｉ＝０，１，．．．１２３である、Ｐ１Ｉ（２ｉ）およびＰ１Ｉ（２ｉ＋１）が、下記のテーブル６の中で指定されるとおり、Ｄ＝４で、複素変調シンボルＭＳ＝（ｍＩ，ｍＱ）にマップされなければならない。このファクタは、利用可能な４０００の搬送波のうち１２４だけしか使用されていないという事実を使用して計算される。
【数２４】
2010505371.tif 000033
【表８】
2010505371.tif 000034
【０１２４】
図１３は、ＱＰＳＫ変調に関する信号配置を示す。
【０１２５】
（変調シンボル−副搬送波マッピング）
ｉ＝０，１，．．．，１２３である、第ｉ番の変調シンボルＭＳ（ｉ）は、前述したとおり、インデックスｊを有する副搬送波にマップされなければならない。
【０１２６】
（ＯＦＤＭ共通操作）
変調されたＴＤＭパイロット１副搬送波は、後段で説明されるとおり、共通操作を受けなければならない。
【０１２７】
（ＷＩＣ（ワイドエリア識別チャネル））
ＷＩＣ（ワイドエリア識別チャネル）は、１つのＯＦＤＭシンボルにわたっていなければならない。ＷＩＣは、スーパーフレームの中のＯＦＤＭシンボルインデックス１において送信されなければならない。ＷＩＣは、ＴＤＭパイロット１ＯＦＤＭシンボルの後に続く。このチャネルは、ワイドエリアディファレンシエータ（Differentiator）情報をＦＬＯ受信機に伝送するために使用されるオーバヘッドチャネルである。ワイドエリア内のすべての送信波形（ローカルエリアチャネルを含むが、ＴＤＭパイロット１チャネルおよびＰＰＣを除外する）は、そのエリアに対応する４ビットワイドエリアディファレンシエータを使用してスクランブルされなければならない。
【０１２８】
スーパーフレームの中のＷＩＣ  ＯＦＤＭシンボルに関して、１つのスロットだけが、割り当てられなければならない。割り当てられたスロットは、入力として１０００ビットの固定パターンを使用し、各ビットは、０に設定される。入力ビットパターンは、図１４に示されるステップに従って処理されなければならない。割り当てられていないスロットに関して、全く処理は実行されるべきではない。
【０１２９】
（スロット割当て）
ＷＩＣには、インデックス３を有するスロットが割り当てられなければならない。ＷＩＣ  ＯＦＤＭシンボルの中の割り当てられたスロット、および割り当てられていないスロットが、図１５に示される。選択されるスロットインデックスは、ＯＦＤＭシンボルインデックス１に関してインターレース０にマップされるインデックスであり、このことは、後段で説明される。
【０１３０】
（スロットバッファを埋めること）
割り当てられたスロットに関するバッファは、各ビットが「０」に設定された１０００ビットから成る固定パターンで完全に埋められなければならない。割り当てられていないスロットに関するバッファは、空のままにされなければならない。
【０１３１】
（スロットスクランブリング）
割り当てられた各スロットバッファのビットは、変調に先立って、これらのビットをランダム化するように、スクランブラ出力ビットと順次にＸＯＲ演算されなければならない。スロットインデックスｉに対応する、スクランブルされたスロットバッファは、ＳＢ（ｉ）として表され、ただし、ｉ∈｛０，１，．．．，７｝である。任意のスロットバッファに関して使用されるスクランブリング系列は、ＯＦＤＭシンボルインデックスおよびスロットインデックスに依存する。
【０１３２】
スクランブリングビット系列は、図１６に示されるとおり、ジェネレータ系列ｈ（Ｄ）＝Ｄ２０＋Ｄ１７＋１を用いて２０−ｔａｐ  ＬＦＳＲ（線形フィードバックシフトレジスタ）を使用して生成される系列と等価でなければならない。送信機は、すべての送信に関して単一のＬＦＳＲを使用しなければならない。
【０１３３】
すべてのＯＦＤＭシンボルの開始時に、ＬＦＳＲは、チャネルタイプ（ＴＤＭパイロットチャネルまたはワイドエリアチャネルまたはローカルエリアチャネル）、およびスーパーフレームの中のＯＦＤＭシンボルインデックスに依存する状態［ｄ３ｄ２ｄ１ｄ０ｃ２ｃ１ｃ０ｂ０ａ１０ａ９ａ８ａ７ａ６ａ５ａ４ａ３ａ２ａ１ａ０］に初期設定されなければならない。
【０１３４】
ビット「ｄ３ｄ２ｄ１ｄ０」は、以下のとおり設定されなければならない。すべてのワイドエリアチャネル（ＷＩＣ、ＷＴＰＣ、ワイドエリアＯＩＳチャネル、およびワイドエリアデータチャネル）、ローカルエリアチャネル（ＬＩＣ、ＬＴＰＣ、ローカルエリアＯＩＳチャネル、およびローカルエリアデータチャネル）、およびＴＤＭパイロット２チャネル、ならびにＰＰＣが存在しない場合の予約済みの２つのＯＦＤＭシンボルに関して、これらのビットは、４ビットＷＩＤ（ワイドエリアディファレンシエータ）に設定されなければならない。
【０１３５】
ビット「ｃ３ｃ２ｃ１ｃ０」は、以下のとおり設定されなければならない。ＴＤＭパイロット２チャネル、ワイドエリアＯＩＳチャネル、ワイドエリアデータチャネル、ＷＴＰＣ、およびＷＩＣに関して、これらのビットは、「００００」に設定されなければならず、ローカルエリアＯＩＳチャネル、ＬＴＰＣ、ＬＩＣ、およびローカルエリアデータチャネル、ならびにＰＰＣが存在しない場合の予約済みの２つのＯＦＤＭシンボルに関して、４ビットＬＩＤ（ローカルエリアディファレンシエータ）に設定されなければならない。ビットｂ０は、予約済みのビットであり、「１」に設定されなければならない。ビットａ１０ないしａ０は、０から１１９９までの範囲の、スーパーフレーム中のＯＦＤＭシンボルインデックス数に対応しなければならない。
【０１３６】
各スロットに関するスクランブリング系列は、以下のテーブル７において指定されるとおり、系列ジェネレータの２０ビット状態ベクトルと、そのスロットインデックスに関連する２０ビットマスクとのモジュロ２内積によって生成されなければならない。
【表９】
2010505371.tif 000035
【０１３７】
シフトレジスタには、すべてのＯＦＤＭシンボルの開始時に各スロットに関して新たな状態［ｄ３ｄ２ｄ１ｄ０ｃ３ｃ２ｃ１ｃ０ｂ０ａ１０ａ９ａ８ａ７ａ６ａ５ａ４ａ３ａ２ａ１ａ０］が再ロードされなければならない。
【０１３８】
（変調シンボルマッピング）
ｓ０およびｓ１というラベルがそれぞれ付けられた、第ｉ番のスクランブルされたスロットバッファからの連続する２つのビットの各グループ、ｉ＝３、ｋ＝０，１，．．．４９９である、ＳＢ（ｉ，２ｋ）およびＳＢ（ｉ，２ｋ＋１）が、Ｄ＝２で、テーブル６において示される複素変調シンボルＭＳ＝（ｍＩ，ｍＱ）にマップされなければならない。利用可能な４０００の副搬送波のうち５００だけしか使用されないので、Ｄの値は、ＯＦＤＭシンボルエネルギーを一定に保つように選択されることに留意されたい。図１３は、ＱＰＳＫ変調に関する信号配置を示す。
【０１３９】
（スロット−インターレースマッピング）
ＷＩＣ  ＯＦＤＭシンボルに関するインターレースに対するスロットのマッピングは、本明細書の後段で説明されるとおりに指定されるとおりでなければならない。
【０１４０】
（インターレース副搬送波に対するスロットバッファ変調シンボルのマッピング）
割り当てられたスロットの中の５００の変調シンボルは、以下のとおり、５００のインターレース副搬送波に順次に割り当てられなければならない。すなわち、第ｉ番の複素変調シンボル（ただし、ｉ∈｛０，１，．．．４９９｝）は、そのインターレースの第ｉ番の副搬送波にマップされなければならない。
【０１４１】
（ＯＦＤＭ共通操作）
変調されたＷＩＣ副搬送波は、本明細書の後段で指定されるとおり、共通操作を受けなければならない。
【０１４２】
（ＬＩＣ（ローカルエリア識別チャネル））
ＬＩＣ（ローカルエリア識別チャネル）は、１つのＯＦＤＭシンボルにわたっていなければならない。ＬＩＣは、スーパーフレームの中のＯＦＤＭシンボルインデックス２において送信されなければならない。ＬＩＣは、ＷＩＣチャネルＯＦＤＭシンボルの後に続く。このチャネルは、ＦＬＯ受信機にローカルエリアディファレンシエータ情報を伝送するために使用されるオーバヘッドチャネルである。すべてのローカルエリア送信波形は、ワイドエリアディファレンシエータと連携して、そのエリアに対応する、４ビットローカルエリアディファレンシエータを使用してスクランブルされなければならない。
【０１４３】
スーパーフレームの中のＬＩＣ  ＯＦＤＭシンボルに関して、単一のスロットだけが、割り当てられるべきである。割り当てられたスロットは、入力として１０００ビットの固定パターンを使用しなければならない。これらのビットは、０に設定されなければならない。これらのビットは、図１４に示されるステップに従って処理されなければならない。割り当てられていないスロットに関して、全く処理は実行されるべきではない。
【０１４４】
（スロット割当て）
ＬＩＣには、インデックス５を有するスロットが割り当てられなければならない。ＬＩＣ  ＯＦＤＭシンボルの中の割り当てられたスロット、および割り当てられていないスロットが、図１７に示される。選択されるスロットインデックスは、ＯＦＤＭシンボルインデックス２に関してインターレース０にマップされるインデックスである。
【０１４５】
（スロットバッファを埋めること）
割り当てられたスロットに関するバッファは、各ビットが「０」に設定された１０００ビットから成る固定パターンで完全に埋められなければならない。割り当てられていないスロットに関するバッファは、空のままにされなければならない。
【０１４６】
（スロットスクランブリング）
ＬＩＣスロットバッファのビットは、０において指定されるとおりスクランブルされなければならない。スクランブルされたスロットバッファは、ＳＢによって表される。
【０１４７】
（変調シンボルマッピング）
ｓ０およびｓ１というラベルがそれぞれ付けられた、第ｉ番のスクランブルされたスロットバッファからの連続する２つのビットの各グループ、ｉ＝５、ｋ＝０，１，．．．４９９である、ＳＢ（ｉ，２ｋ）およびＳＢ（ｉ，２ｋ＋１）が、Ｄ＝２で、テーブル６において示される複素変調シンボルＭＳ＝（ｍＩ，ｍＱ）にマップされなければならない。利用可能な４０００の副搬送波のうち５００だけしか使用されないので、Ｄの値は、ＯＦＤＭシンボルエネルギーを一定に保つように選択される。図１３は、ＱＰＳＫ変調に関する信号配置を示す。
【０１４８】
（スロット−インターレースマッピング）
ＬＩＣ  ＯＦＤＭシンボルに関するインターレースに対するスロットのマッピングは、後段で説明されるとおりに指定されなければならない。
【０１４９】
（インターレース副搬送波に対するスロットバッファ変調シンボルのマッピング）
割り当てられたスロットの中の５００の変調シンボルは、以下のとおり、５００のインターレース副搬送波に順次に割り当てられなければならない。すなわち、第ｉ番の複素変調シンボル（ただし、ｉ∈｛０，１，．．．４９９｝）は、そのインターレースの第ｉ番の副搬送波にマップされなければならない。
【０１５０】
（ＯＦＤＭ共通操作）
変調されたＬＩＣ副搬送波は、本明細書の後段で指定されるとおり、共通操作を受けなければならない。
【０１５１】
（ＴＤＭパイロット２チャネル）
ＴＤＭパイロット２チャネルは、１つのＯＦＤＭシンボルにわたっていなければならない。ＴＤＭパイロット２チャネルは、スーパーフレームの中のＯＦＤＭシンボルインデックス３において送信されなければならない。ＴＤＭパイロット２チャネルは、ＬＩＣ  ＯＦＤＭシンボルの後に続かなければならない。ＴＤＭパイロット２チャネルは、ＦＬＯ受信機においてＯＦＤＭシンボルタイミング補正のために使用されることが可能である。
【０１５２】
各スーパーフレームの中のＴＤＭパイロット２チャネルに関して、４つのスロットだけが、割り当てられるべきである。割り当てられた各スロットは、入力として、各ビットが０に設定された１０００ビットの固定パターンを使用しなければならない。これらのビットは、図１４に示されるステップに従って処理されなければならない。割り当てられていないスロットに関して、全く処理は実行されるべきではない。
【０１５３】
図１４において、インターレースに対するスロットのマッピングにより、割り当てられたスロットが、インターレース０、２、４、および６にマップされることが確実になる。したがって、ＴＤＭパイロット２ＯＦＤＭシンボルは、活性の副搬送波の間で均一に間隔をあけられた、０でない２０００の副搬送波から構成される（［００１５１］を参照）。第ｉ番のＴＤＭパイロット２副搬送波は、以下のとおり定義される副搬送波インデックスｊに対応しなければならない。すなわち、
【数２５】
2010505371.tif 000036
【０１５４】
ＴＤＭパイロット２チャネルは、インデックス２０４８を有する副搬送波を使用しないことに留意されたい。
【０１５５】
（スロット割当て）
ＴＤＭパイロット２ＯＦＤＭシンボルに関して、割り当てられたスロットは、インデックス０、１、２、および７を有さなければならない。
【０１５６】
ＴＤＭパイロット２ＯＦＤＭシンボルの中の割り当てられたスロット、および割り当てられていないスロットが、図１８に示される。
【０１５７】
（スロットバッファを埋めること）
割り当てられた各スロットに関するバッファは、各ビットが「０」に設定された１０００ビットから成る固定パターンで完全に埋められなければならない。割り当てられていないスロットに関するバッファは、空のままにされなければならない。
【０１５８】
（スロットスクランブリング）
ＴＤＭパイロット２チャネルスロットバッファのビットは、前述したとおりに指定されるとおり、スクランブルされなければならない。スクランブルされたスロットバッファは、ＳＢによって表される。
【０１５９】
（変調シンボルマッピング）
ｓ０およびｓ１というラベルがそれぞれ付けられた、第ｉ番のスクランブルされたスロットバッファからの隣接する２つのビットの各グループ、ｉ＝０，１，２，７、ｋ＝０，１，．．．４９９である、ＳＢ（ｉ，２ｋ）およびＳＢ（ｉ，２ｋ＋１）が、Ｄ＝１で、テーブル６において示される複素変調シンボルＭＳ＝（ｍＩ，ｍＱ）にマップされなければならない。利用可能な４０００の副搬送波のうち２０００だけしか使用されないので、Ｄの値は、ＯＦＤＭシンボルエネルギーを一定に保つように選択される。図１３は、ＱＰＳＫ変調に関する信号配置を示す。
【０１６０】
（スロット−インターレースマッピング）
ＴＤＭパイロット２チャネルＯＦＤＭシンボルに関するインターレースに対するスロットのマッピングは、本明細書で指定されるとおりでなければならない。
【０１６１】
（インターレース副搬送波に対するスロットバッファ変調シンボルのマッピング）
割り当てられたスロットの中の５００の変調シンボルは、以下のとおり、５００のインターレース副搬送波に順次に割り当てられなければならない。すなわち、第ｉ番の複素変調シンボル（ただし、ｉ∈｛０，１，．．．４９９｝）は、そのインターレースの第ｉ番の副搬送波にマップされなければならない。
【０１６２】
（ＯＦＤＭ共通操作）
変調されたＴＤＭパイロット２副搬送波は、本明細書で指定されるとおり、共通操作を受けなければならない。
【０１６３】
ＴＰＣ（遷移パイロットチャネル）
遷移パイロットチャネルは、２つの副搬送波、すなわち、ＷＴＰＣ（ワリア遷移パイロットチャネル）およびＬＴＰＣ（ローカルエリア遷移パイロットチャネル）から成る。ワイドエリアＯＩＳチャネルおよびワイドエリアデータチャネルの傍らに位置するＴＰＣは、ＷＴＰＣと呼ばれる。ローカルエリアＯＩＳチャネルおよびローカルエリアデータチャネルの傍らに位置するＴＰＣは、ＬＴＰＣと呼ばれる。ＷＴＰＣは、スーパーフレームの中でＷＩＣ（ワイドエリアデータチャネルおよびワイドエリアＯＩＳチャネル）を除くすべてのワイドエリアチャネル送信のいずれの側でも、１つのＯＦＤＭシンボルにわたっている。ＬＴＰＣは、ＬＩＣ（ローカルエリアデータチャネルおよびローカルエリアＯＩＳチャネル）を除くすべてのローカルエリアチャネル送信のいずれの側でも、１つのＯＦＤＭシンボルにわたっている。ＴＰＣ  ＯＦＤＭシンボルの目的は、次の２つから成る。すなわち、ローカルエリアチャネルとワイドエリアチャネルの間の境界におけるチャネル推定を許すこと、および各フレームの中の最初のワイドエリア（またはローカルエリア）ＭＬＣに関するタイミング同期を円滑にすることである。ＴＰＣは、図１０に示されるとおり、ＷＴＰＣとＬＴＰＣの間で均等に分割された、スーパーフレームの中の２０のＯＦＤＭシンボルにわたる。ＬＴＰＣ送信およびＷＴＰＣ送信が、互いに隣接して行われる９つのインスタンスが、存在し、さらに、これらのチャネルの１つだけが送信される２つのインスタンスが、存在する。ＴＤＭパイロット２チャネルの後、ＷＴＰＣだけが送信され、ＰＰＣ（測位パイロットチャネル）／予約済みのＯＦＤＭシンボルに先立って、ＬＴＰＣだけが送信される。
【０１６４】
Ｐは、ＰＰＣの中のＯＦＤＭシンボルの数、またはスーパーフレームの中にＰＰＣが存在しない場合の予約済みのＯＦＤＭシンボルの数であり、Ｗは、フレームの中のワイドエリアデータチャネルに関連するＯＦＤＭシンボルの数であり、Ｌは、フレームの中のローカルエリアデータチャネルに関連するＯＦＤＭシンボルの数であり、さらに、Ｆは、フレームの中のＯＦＤＭシンボルの数であるものと想定される。
【０１６５】
Ｐの値は、２、６、１０、または１４でなければならない。フレームの中のデータチャネルＯＦＤＭシンボルの数は、Ｆ−４でなければならない。スーパーフレームの中のＴＰＣ  ＯＦＤＭシンボルの正確な位置は、以下のテーブル８の中で指定されるとおりでなければならない。
【表１０】
2010505371.tif 000037
【０１６６】
ＴＰＣ  ＯＦＤＭシンボルの中のすべてのスロットは、入力として、各ビットが０に設定された１０００ビットの固定パターンを使用する。これらのビットは、図１４に示されるステップに従って処理されなければならない。
【０１６７】
（スロット割当て）
ＴＰＣ  ＯＦＤＭシンボルには、０から７までのインデックスを有する８つすべてのスロットが割り当てられなければならない。
【０１６８】
（スロットバッファを埋めること）
割り当てられた各スロットに関するバッファは、各ビットが「０」に設定された１０００ビットから成る固定パターンで完全に埋められなければならない。
【０１６９】
（スロットスクランブリング）
割り当てられた各ＴＰＣスロットバッファのビットは、前段で指定されたとおりスクランブルされなければならない。スクランブルされたスロットバッファは、ＳＢによって表される。
【０１７０】
（変調シンボルマッピング）
ｓ０およびｓ１というラベルがそれぞれ付けられた、第ｉ番のスクランブルされたスロットバッファからの連続する２つのビットの各グループ、ｉ＝０，１，２，．．．７、ｋ＝０，１，．．．４９９である、ＳＢ（ｉ，２ｋ）およびＳＢ（ｉ，２ｋ＋１）が、
【数２６】
2010505371.tif 000038
【０１７１】
で、テーブル６において示される複素変調シンボルＭＳ＝（ｍＩ，ｍＱ）にマップされなければならない。図１３は、ＱＰＳＫ変調に関する信号配置を示す。
【０１７２】
（スロット−インターレースマッピング）
ＴＰＣ  ＯＦＤＭシンボルに関するインターレースに対するスロットのマッピングは、本明細書で指定されるとおりでなければならない。
【０１７３】
（インターレース副搬送波に対するスロットバッファ変調シンボルのマッピング）
割り当てられた各スロットの中の５００の変調シンボルは、以下のとおり、５００のインターレース副搬送波に順次に割り当てられなければならない。すなわち、第ｉ番の複素変調シンボル（ただし、ｉ∈｛０，１，．．．４９９｝）は、そのインターレースの第ｉ番の副搬送波にマップされなければならない。
【０１７４】
（ＯＦＤＭ共通操作）
変調されたＴＰＣ副搬送波は、本明細書で指定されるとおり、共通操作を受けなければならない。
【０１７５】
（測位パイロットチャネル／予約済みのシンボル）
ＰＰＣ（測位パイロットチャネル）は、スーパーフレームの終わりに現れることが可能である。存在する場合、ＰＰＣは、６、１０、または１４のＯＦＤＭシンボルという可変の持続時間を有する。ＰＰＣが存在しない場合、スーパーフレームの終わりに２つの予約済みのＯＦＤＭシンボルが存在する。ＰＰＣの存在または欠如、およびＰＰＣの持続時間は、ＯＩＳチャネルを介してシグナリングされる。
【０１７６】
（測位パイロットチャネル）
送信される情報、および波形生成を含むＰＰＣ構造は、ＴＢＤである。
【０１７７】
ＦＬＯデバイスは、ＰＰＣを自律的に、またはＧＰＳ信号と併せて使用して、デバイスの地理的ロケーションを特定することができる。
【０１７８】
（予約済みのＯＦＤＭシンボル）
ＰＰＣが存在しない場合、スーパーフレームの終わりに２つの予約済みのＯＦＤＭシンボルが存在する。
【０１７９】
予約済みのＯＦＤＭシンボルの中のすべてのスロットは、入力として、各ビットが０に設定された１０００ビットの固定パターンを使用する。これらのビットは、図１４に示されるステップに従って処理されなければならない。
【０１８０】
（スロット割当て）
予約済みのＯＦＤＭシンボルには、０から７までのインデックスを有する８つすべてのスロットが割り当てられなければならない。
【０１８１】
（スロットバッファを埋めること）
割り当てられた各スロットに関するバッファは、各ビットが「０」に設定された１０００ビットから成る固定パターンで完全に埋められなければならない。
【０１８２】
（スロットスクランブリング）
割り当てられたそれぞれの予約済みのＯＦＤＭシンボルスロットバッファのビットは、０において指定されるとおりスクランブルされなければならない。スクランブルされたスロットバッファは、ＳＢによって表される。
【０１８３】
（変調シンボルマッピング）
ｓ０およびｓ１というラベルがそれぞれ付けられた、第ｉ番のスクランブルされたスロットバッファからの連続する２つのビットの各グループ、ｉ＝０，１，２，．．．７、ｋ＝０，１，．．．４９９である、ＳＢ（ｉ，２ｋ）およびＳＢ（ｉ，２ｋ＋１）が、
【数２７】
2010505371.tif 000039
【０１８４】
で、テーブル６の中で指定される複素変調シンボルＭＳ＝（ｍＩ，ｍＱ）にマップされなければならない。図１３は、ＱＰＳＫ変調に関する信号配置を示す。
【０１８５】
（スロット−インターレースマッピング）
予約済みのＯＦＤＭシンボルに関するインターレースに対するスロットのマッピングは、本明細書で指定されるとおりでなければならない。
【０１８６】
（インターレース副搬送波に対するスロットバッファ変調シンボルのマッピング）
割り当てられた各スロットの中の５００の変調シンボルは、以下のとおり、５００のインターレース副搬送波に順次に割り当てられなければならない。すなわち、第ｉ番の複素変調シンボル（ただし、ｉ∈｛０，１，．．．４９９｝）は、そのインターレースの第ｉ番の副搬送波にマップされなければならない。
【０１８７】
（ＯＦＤＭ共通操作）
変調された予約済みのＯＦＤＭシンボル副搬送波は、本明細書で指定されるとおり、共通操作を受けなければならない。
【０１８８】
（ワイドエリアＯＩＳチャネル）
このチャネルは、現在のスーパーフレームの中で、ワイドエリアデータチャネルに関連する活性のＭＬＣについての、ＭＬＣのスケジュールされた送信時刻およびスロット割当てなどの、オーバヘッド情報を伝送するのに使用される。ワイドエリアＯＩＳチャネルは、各スーパーフレームの中で５つのＯＦＤＭシンボル間隔にわたる（図１０参照）。
【０１８９】
ワイドエリアＯＩＳチャネルに関する物理層パケットは、図１９に示されるステップに従って処理されなければならない。
【０１９０】
（符号化）
ワイドエリアＯＩＳチャネル物理層パケットは、符号レートＲ＝１／５で符号化されなければならない。符号器は、本明細書で指定されるとおり、着信する物理層パケットの６ビットのＴＡＩＬフィールドを破棄して、並行ターボ符号器を使用して、残りのビットを符号化しなければならない。ターボ符号器は、６／Ｒ（＝３０）の出力符号ビットの内部で生成された末端を追加して、出力におけるターボ符号化ビットの総数が、入力された物理層パケットの中のビットの数の１／Ｒ倍であるようにしなければならない。
【０１９１】
図２０は、ワイドエリアＯＩＳチャネルに関する符号化スキームを示す。ワイドエリアＯＩＳチャネル符号器パラメータは、以下のテーブル９の中で指定されるとおりでなければならない。
【表１１】
2010505371.tif 000040
【０１９２】
（ターボ符号器）
ターボ符号器は、第２の再帰的な畳込み符号器に先行して、ターボインターリーバであるインターリーバに並列に接続された２つのシステム化された再帰的な畳込み符号器を使用する。この２つの再帰的な畳込み符号は、ターボ符号の成分符号と呼ばれる。構成符号器の出力は、所望される数のターボ符号化出力ビットを実現するようにパンクチャリングされて、繰り返される。
【０１９３】
共通の成分符号が、１／５、１／３、１／２、および２／３のレートのターボ符号に関して使用されなければならない。成分符号に関する伝達関数は、以下のとおりでなければならない。すなわち、
【数２８】
2010505371.tif 000041
【０１９４】
ただし、ｄ（Ｄ）＝１＋Ｄ２＋Ｄ３、ｎ０（Ｄ）＝１＋Ｄ＋Ｄ３、かつ、ｎ１（Ｄ）＝１＋Ｄ＋Ｄ２＋Ｄ３である。
【０１９５】
ターボ符号器は、図２０に示される符号器によって生成される出力シンボル系列と同一の出力シンボル系列を生成しなければならない。最初に、この図における構成符号器のレジスタの状態が、０に設定される。次に、構成符号器は、示される位置におけるスイッチを使用してクロック制御される。
【０１９６】
符号化されたデータ出力ビットは、アップ位置におけるスイッチを使用して構成符号器Ｎｔｕｒｂｏ時刻をクロック制御し、後段で示されるテーブル１０の中で指定されるとおり出力をパンクチャリングすることによって生成される。パンクチャリングパターン内で、「０」は、そのビットが削除されるべきことを意味し、「１」は、そのビットが送られるべきことを意味する。各ビット期間に関する構成符号器出力は、Ｘ、Ｙ０、Ｙ１、Ｘ’、Ｙ’０、Ｙ’１の順序で送られなければならず、Ｘ出力が最初に送られなければならない。ビット繰り返しは、符号化されたデータ出力ビットを生成する際に使用されない。
【０１９７】
末端期間に関する構成符号器出力シンボルパンクチャリングは、後段で示されるテーブル１１の中で指定されるとおりでなければならない。パンクチャリングパターン内で、「０」は、そのシンボルが削除されるべきことを意味し、「１」は、そのシンボルが送られるべきことを意味する。
【０１９８】
レート１／５ターボ符号の場合、最初の３つの末端期間のそれぞれに関する末端出力符号ビットが、系列ＸＸＹ０Ｙ１Ｙ１を実現するようにパンクチャリングされて、繰り返されなければならず、さらに、最後の３つの末端ビット期間のそれぞれに関する末端出力符号ビットが、系列Ｘ’Ｘ’Ｙ’０Ｙ’１Ｙ’１を実現するようにパンクチャリングされて、繰り返されなければならない。
【表１２】
2010505371.tif 000042
【０１９９】
前出のテーブル１０の中で、パンクチャリングテーブルは、上から下に読まれるべきであることに留意されたい。
【表１３】
2010505371.tif 000043
【０２００】
テーブル１１の中で、レート１／５ターボ符号に関して、パンクチャリングテーブルはまず、Ｘ、Ｘ’、Ｙ１、およびＹ’１を繰り返して、上から下に読まれるべきであり、次に、左から右に読まれるべきであることに留意されたい。
【０２０１】
（ターボインターリーバ）
ターボ符号器の一部であるターボインターリーバは、構成符号器２に送り込まれるターボ符号器入力データをブロックインターリーブしなければならない。
【０２０２】
ターボインターリーバは、ターボインターリーバ入力ビットの系列全体が、一連のアドレスにおいてアレーに順次に書き込まれ、次に、この系列全体が、後段で説明される手順によって定義される一連のアドレスから読み出されるアプローチと機能的に均等でなければならない。
【０２０３】
入力アドレスの連続を、０からＮｔｕｒｂｏ−１までとすると、インターリーバ出力アドレスの連続は、図２２に示され、後段で説明される手順によって生成されるアドレスと等しくなければならない。この手順は、カウンタ値が、２５行×２ｎ列のアレーに行ごとに書き込まれ、これらの行が、ビット逆転規則に従ってシャッフルされ、各行内の要素が、行固有の線形合同系列（linear congruential sequence）に従って置換され、さらに、仮の出力アドレスが、列ごとに読み出される手順と均等であることに留意されたい。線形合同系列規則は、ｘ（ｉ＋１）＝（ｘ（ｉ）＋ｃ）  ｍｏｄ  ２ｎであり、ただし、ｘ（０）＝ｃであり、かつ、ｃは、テーブルルックアップからの行固有の値である。
【０２０４】
図２２における手順に関して、プロセスは、ターボインターリーバパラメータｎを決定することを含み、ただし、ｎは、Ｎｔｕｒｂｏ≦２ｎ＋５であるような最小の整数である。後段で示されるテーブル１２は、１０００ビットの物理層パケットに関して、このパラメータを与える。また、このプロセスは、（ｎ＋５）ビットカウンタを０に初期設定すること、および、このカウンタからｎ個のＭＳＢ（最上位ビット）を抽出し、１を加算して新たな値を形成することも含む。次に、この値のｎ個のＬＳＢ（最下位ビット）を除いてすべてを破棄する。このプロセスは、読み取られるアドレスが、カウンタの５つのＬＳＢと等しい、後段で示されるテーブル１３の中で定義されるテーブルルックアップのｎビット出力を獲得することをさらに含む。このテーブルは、ｎの値に依存することに留意されたい。
【０２０５】
このプロセスは、抽出して、獲得する前のステップにおいて獲得された値を増倍して（multiply）、次に、ｎ個のＬＳＢを除くすべてを破棄することをさらに含む。次に、カウンタの５つのＬＳＢのビット逆転が、実行される。次に、ビット逆転ステップにおいて獲得された値と等しいＭＳＢと、倍増するステップにおいて獲得された値と等しいＬＳＢとを有する仮の出力アドレスが、形成される。
【０２０６】
次に、プロセスは、この仮の出力アドレスを、このアドレスがＮｔｕｒｂｏ未満である場合、受け入れることを含み、Ｎｔｕｒｂｏ未満でない場合、このアドレスは、破棄される。最後に、カウンタが、インクリメントされ、すべてのＮｔｕｒｂｏインターリーバ出力アドレスが獲得されるまで、初期設定ステップの後のステップが、繰り返される。
【表１４】
2010505371.tif 000044
【表１５】
2010505371.tif 000045
【０２０７】
（ビットインターリーブ）
ＯＩＳチャネルおよびデータチャネルに関して、ビットインターリーブは、ブロックインターリーブの一形態である。ターボ符号化パケットの符号ビットは、隣接する符号ビットが、異なる配置シンボルにマップされるようなパターンでインターリーブされる。
【０２０８】
ビットインターリーバは、以下の手順に従って、ターボ符号化ビットを並べ替えなければならない。すなわち、
ａ．インターリーブされるべきＮビットに関して、ビットインターリーバ行列Ｍは、４列×Ｎ／４行のブロックインターリーバでなければならない。このＮ入力ビットは、インターリーブアレーに列ごとに順次に書き込まれなければならない。行列Ｍの行にインデックスｊでラベルを付け、ただし、ｊ＝０ないしＮ／４−１であり、かつ、行０は、最初の行である。
【０２０９】
ｂ．偶数インデックス（ｊ  ｍｏｄ  ２＝０）を有するすべての行ｊに関して、第２の列の中の要素と第３の列の中の要素が、交換されなければならない。
【０２１０】
ｃ．奇数インデックス（ｊ  ｍｏｄ  ２！＝０）を有するすべての行に関して、第１の列の中の要素と第４の列の中の要素が、交換されなければならない。
【０２１１】
ｄ．もたらされる行列を
【数２９】
2010505371.tif 000046
【０２１２】
で表す。
【数３０】
2010505371.tif 000047
【０２１３】
の内容が、行に関して、左から右に読み出される。
【０２１４】
図２３は、Ｎ＝２０の仮説的な事例に関するビットインターリーバの出力を示す。
【０２１５】
（データスロット割当て）
ワイドエリアＯＩＳチャネルに関して、ＯＩＳチャネルターボ符号化パケットの送信のために、１つのＯＦＤＭシンボル当たり７つのデータスロットが、割り当てられなければならない。ワイドエリアＯＩＳチャネルは、送信モード５を使用しなければならない。したがって、ワイドエリアＯＩＳチャネルは、単一のターボ符号化パケットの内容を収容するのに５つのデータスロットを要求する。一部のワイドエリアＯＩＳチャネルターボ符号化パケットは、連続する２つのＯＦＤＭシンボルにわたることが可能である。これらのデータスロット割当ては、ＭＡＣ層において行われる。
【０２１６】
（データスロットバッファを埋めること）
ワイドエリアＯＩＳチャネルターボ符号化パケットのビットインターリーブされた符号ビットは、図２４に示されるとおり、１つの、または連続する２つのＯＦＤＭシンボルの中で、連続する５つのデータスロットバッファの中に順次に書き込まれなければならない。これらのデータスロットバッファは、１から７までのスロットインデックスに対応する。データスロットバッファサイズは、１０００ビットでなければならない。データスロットバッファサイズは、ＱＰＳＫの場合、１０００ビットであり、１６−ＱＡＭ、および階層化された変調の場合、２０００ビットであることに留意されたい。この７つのワイドエリアＯＩＳチャネルＴＥＰ（ターボ符号化パケット）は、ワイドエリアＯＩＳチャネルの中で連続する５つのＯＦＤＭシンボルにわたって連続するスロットを占有しなければならない（図１０参照）。
【０２１７】
（スロットスクランブリング）
割り当てられた各スロットバッファのビットは、テーブルの中で指定されるとおり、スクランブルされなければならない。スクランブルされたスロットバッファは、ＳＢによって表される。
【０２１８】
（変調シンボルに対するビットのマッピング）
ｓ０およびｓ１というラベルがそれぞれ付けられた、第ｉ番のスクランブルされたスロットバッファからの連続する２つのビットの各グループ、ｉ＝０，１，２，．．．７、ｋ＝０，１，．．．４９９である、ＳＢ（ｉ，２ｋ）およびＳＢ（２ｋ＋１）が、
【数３１】
2010505371.tif 000048
【０２１９】
で、テーブル６の中で指定される複素変調シンボルＭＳ＝（ｍＩ，ｍＱ）にマップされなければならない。図１３は、ＱＰＳＫ変調に関する信号配置を示す。
【０２２０】
（スロット−インターレースマッピング）
ワイドエリアＯＩＳチャネルＯＦＤＭシンボルに関するインターレースに対するスロットのマッピングは、本明細書において指定されるとおりでなければならない。
【０２２１】
（インターレース副搬送波に対するスロットバッファ変調シンボルのマッピング）
割り当てられた各スロットの中の５００の変調シンボルは、以下の手順に従って５００のインターレース副搬送波に順次に割り当てられなければならない。すなわち、
ａ．空のＳＣＩＶ（副搬送波インデックスベクトル）を作成する、
ｂ．ｉを、範囲内（ｉ∈｛０，５１１｝）のインデックス変数とする。ｉを０に初期設定する、
ｃ．ｉを９ビット値ｉｂによって表す、
ｄ．ｉｂをビット逆転し、もたらされる値をｉｂｒと表す。ｉｂｒ＜５００である場合、ｉｂｒをＳＣＩＶに付加する、
ｅ．ｉ＜５１１である場合、ｉを１だけインクリメントし、ステップｃに進み、さらに
ｆ．データスロットの中のｊ（ｊ∈｛０，４９９｝）を有するシンボルを、そのデータスロットに割り当てられた、インデックスＳＣＩＶ［ｊ］を有するインターレース副搬送波にマップする。
【０２２２】
インデックスＳＣＩＶは、１回だけ計算される必要があり、すべてのデータスロットに関して使用されることが可能であることに留意されたい。
【０２２３】
（ＯＦＤＭ共通操作）
変調されたワイドエリアＯＩＳチャネル副搬送波は、本明細書で指定されるとおり、共通操作を受けなければならない。
【０２２４】
（ローカルエリアＯＩＳチャネル）
このチャネルは、現在のスーパーフレームの中で、ローカルエリアデータチャネルに関連する活性のＭＬＣについての、ＭＬＣのスケジュールされた送信時刻およびスロット割当てなどの、オーバヘッド情報を伝送するのに使用される。ローカルエリアＯＩＳチャネルは、各スーパーフレームの中で５つのＯＦＤＭシンボル間隔にわたる（図１０参照）。
【０２２５】
ローカルエリアＯＩＳチャネルに関する物理層パケットは、図１４に示されるステップに従って処理されなければならない。
【０２２６】
（符号化）
ローカルエリアＯＩＳチャネル物理層パケットは、符号レートＲ＝１／５で符号化されなければならない。この符号化手順は、本明細書で指定されるワイドエリアＯＩＳチャネル物理層パケットに関する手順と同一でなければならない。
【０２２７】
（ビットインターリーブ）
ローカルエリアＯＩＳチャネルターボ符号化パケットは、本明細書で指定されるとおり、ビットインターリーブされなければならない。
【０２２８】
（データスロット割当て）
ローカルエリアＯＩＳチャネルに関して、ターボ符号化パケットの送信のために、１つのＯＦＤＭシンボル当たり７つのデータスロットが、割り当てられなければならない。ローカルエリアＯＩＳチャネルは、送信モード５を使用しなければならない。したがって、ローカルエリアＯＩＳチャネルは、単一のターボ符号化パケットの内容を収容するのに５つのデータスロットを要求する。一部のローカルエリアＯＩＳチャネルターボパケットは、連続する２つのＯＦＤＭシンボルにわたることが可能である。これらのデータスロット割当ては、ＭＡＣ層において行われる。
【０２２９】
（データスロットバッファを埋めること）
ローカルエリアＯＩＳチャネルターボ符号化パケットのビットインターリーブされた符号ビットは、図２５に示されるとおり、１つの、または連続する２つのＯＦＤＭシンボルの中で、連続する５つのデータスロットバッファの中に順次に書き込まれなければならない。これらのデータスロットバッファは、１から７までのスロットインデックスに対応する。データスロットバッファサイズは、１０００ビットでなければならない。この７つのローカルエリアＯＩＳチャネルＴＥＰ（ターボ符号化パケット）は、ローカルエリアＯＩＳチャネルの中で連続する５つのＯＦＤＭシンボルにわたって連続するスロットを占有しなければならない（図２５参照）。
【０２３０】
（スロットスクランブリング）
割り当てられた各スロットバッファのビットは、０において指定されるとおりスクランブルされなければならない。スクランブルされたスロットバッファは、ＳＢによって表される。
【０２３１】
（変調シンボルに対するビットのマッピング）
ｓ０およびｓ１というラベルがそれぞれ付けられた、第ｉ番のスクランブルされたスロットバッファからの連続する２つのビットの各グループ、ｉ＝１，２，．．．７、ｋ＝０，１，．．．４９９である、ＳＢ（ｉ，２ｋ）およびＳＢ（ｉ，２ｋ＋１）が、
【数３２】
2010505371.tif 000049
【０２３２】
で、テーブル６において示される複素変調シンボルＭＳ＝（ｍＩ，ｍＱ）にマップされなければならない。図１３は、ＱＰＳＫ変調に関する信号配置を示す。
【０２３３】
（スロット−インターレースマッピング）
ローカルエリアＯＩＳチャネルＯＦＤＭシンボルに関するインターレースに対するスロットのマッピングは、本明細書において指定されるとおりでなければならない。
【０２３４】
（インターレース副搬送波に対するスロットバッファ変調シンボルのマッピング）
この手順は、本明細書で指定されるワイドエリアＯＩＳチャネルに関する手順と同一でなければならない。
【０２３５】
（ＯＦＤＭ共通操作）
変調されたローカルエリアＯＩＳチャネル副搬送波は、本明細書で指定されるとおり、共通操作を受けなければならない。
【０２３６】
（ワイドエリアＦＤＭパイロットチャネル）
ワイドエリアＦＤＭパイロットチャネルは、ワイドエリアデータチャネルまたはワイドエリアＯＩＳチャネルと併せて送信される。ワイドエリアＦＤＭパイロットチャネルは、ワイドエリアチャネル推定、ならびにＦＬＯデバイスによる他の機能のために使用されることが可能な固定ビットパターンを伝送する。
【０２３７】
ワイドエリアＦＤＭパイロットチャネルに関して、ワイドエリアデータチャネルまたはワイドエリアＯＩＳチャネルを伝送するすべてのＯＦＤＭシンボル中に、単一のスロットが割り当てられなければならない。
【０２３８】
割り当てられたスロットは、入力として、１０００ビットの固定パターンを使用しなければならない。これらのビットは、０に設定されなければならない。これらのビットは、図１４に示されるステップに従って処理されなければならない。
【０２３９】
（スロット割当て）
ワイドエリアＦＤＭパイロットチャネルには、ワイドエリアデータチャネルまたはワイドエリアＯＩＳチャネルを伝送するすべてのＯＦＤＭシンボル中に、インデックス０を有するスロットを割り当てられなければならない。
【０２４０】
（スロットバッファを埋めること）
ワイドエリアＦＤＭパイロットチャネルに割り当てられたスロットに関するバッファは、各ビットが「０」に設定された１０００ビットから成る固定パターンで完全に埋められなければならない。
【０２４１】
（スロットスクランブリング）
ワイドエリアＦＤＭパイロットチャネルスロットバッファのビットは、本明細書で指定されるとおり、スクランブルされなければならない。スクランブルされたスロットバッファは、ＳＢによって表される。
【０２４２】
（変調シンボルマッピング）
ｓ０およびｓ１というラベルがそれぞれ付けられた、第ｉ番のスクランブルされたスロットバッファからの連続する２つのビットの各グループ、ｉ＝０、ｋ＝０，１，．．．４９９である、ＳＢ（ｉ，２ｋ）およびＳＢ（ｉ，２ｋ＋１）が、
【数３３】
2010505371.tif 000050
【０２４３】
で、テーブル６の中で指定される複素変調シンボルＭＳ＝（ｍＩ，ｍＱ）にマップされなければならない。図１３は、ＱＰＳＫ変調に関する信号配置を示す。
【０２４４】
（スロット−インターレースマッピング）
インターレースに対するワイドエリアＦＤＭパイロットチャネルスロットのマッピングは、本明細書において指定されるとおりでなければならない。
【０２４５】
（インターレース副搬送波に対するスロットバッファ変調シンボルのマッピング）
割り当てられたスロットの中の５００の変調シンボルは、以下のとおり、５００のインターレース副搬送波に順次に割り当てられなければならない。すなわち、第ｉ番の複素変調シンボル（ただし、ｉ∈｛０，１，．．．４９９｝）は、そのインターレースの第ｉ番の副搬送波にマップされなければならない。
【０２４６】
（ＯＦＤＭ共通操作）
変調されたワイドエリアＦＤＭパイロットチャネル副搬送波は、本明細書で指定されるとおり、共通操作を受けなければならない。
【０２４７】
（ローカルエリアＦＤＭパイロットチャネル）
ローカルエリアＦＤＭパイロットチャネルは、ローカルエリアデータチャネルまたはローカルエリアＯＩＳチャネルと併せて送信される。ローカルエリアＦＤＭパイロットチャネルは、ローカルエリアチャネル推定、ならびにＦＬＯデバイスによる他の機能のために使用されることが可能な固定ビットパターンを伝送する。
【０２４８】
ローカルエリアＦＤＭパイロットチャネルに関して、ローカルエリアデータチャネルまたはローカルエリアＯＩＳチャネルを伝送するすべてのＯＦＤＭシンボル中に、単一のスロットが割り当てられなければならない。
【０２４９】
割り当てられたスロットは、入力として、１０００ビットの固定パターンを使用しなければならない。これらのビットは、０に設定されなければならない。これらのビットは、図１４に示されるステップに従って処理されなければならない。
【０２５０】
（スロット割当て）
ローカルエリアＦＤＭパイロットチャネルには、ローカルエリアデータチャネルまたはローカルエリアＯＩＳチャネルを伝送するすべてのＯＦＤＭシンボル中に、インデックス０を有するスロットが割り当てられなければならない。
【０２５１】
（パイロットスロットバッファを埋めること）
ローカルエリアＦＤＭパイロットチャネルに割り当てられたスロットに関するバッファは、各ビットが「０」に設定された１０００ビットから成る固定パターンで完全に埋められなければならない。
【０２５２】
（スロットバッファスクランブリング）
ローカルエリアＦＤＭパイロットスロットバッファのビットは、０において指定されるとおりスクランブルされなければならない。スクランブルされたスロットバッファは、ＳＢによって表される。
【０２５３】
（変調シンボルマッピング）
ｓ０およびｓ１というラベルがそれぞれ付けられた、第ｉ番のスクランブルされたスロットバッファからの連続する２つのビットの各グループ、ｉ＝０、ｋ＝０，１，．．．４９９である、ＳＢ（ｉ，２ｋ）およびＳＢ（ｉ，２ｋ＋１）が、
【数３４】
2010505371.tif 000051
【０２５４】
で、テーブル６の中で指定されるとおり、複素変調シンボルＭＳ＝（ｍＩ，ｍＱ）にマップされなければならない。図１３は、ＱＰＳＫ変調に関する信号配置を示す。
【０２５５】
（スロット−インターレースマッピング）
インターレースに対するワイドエリアＦＤＭパイロットチャネルのマッピングは、本明細書で指定されるとおりでなければならない。
【０２５６】
（インターレース副搬送波に対するスロットバッファ変調シンボルのマッピング）
割り当てられたスロットの中の５００の変調シンボルは、以下のとおり、５００のインターレース副搬送波に順次に割り当てられなければならない。すなわち、第ｉ番の複素変調シンボル（ただし、ｉ∈｛０，１，．．．４９９｝）は、そのインターレースの第ｉ番の副搬送波にマップされなければならない。
【０２５７】
（ＯＦＤＭ共通操作）
変調されたローカルエリアＦＤＭパイロットチャネル副搬送波は、本明細書で指定されるとおり、共通操作を受けなければならない。
【０２５８】
（ワイドエリアデータチャネル）
ワイドエリアデータチャネルは、ワイドエリアマルチキャストに向けられた物理層パケットを伝送するのに使用される。ワイドエリアデータチャネルに関する物理層パケットは、ワイドエリアにおいて送信される活性のＭＬＣの任意の１つに関連することが可能である。
【０２５９】
（割り当てられたスロットに関するワイドエリアデータチャネル処理）
ワイドエリアデータチャネルに関する物理層パケットは、図２６に示されるステップに従って処理されなければならない。
【０２６０】
通常の変調（ＱＰＳＫおよび１６−ＱＡＭ）の場合、物理層パケットが、データスロットバッファの中に格納される前に、ターボ符号化され、ビットインターリーブされる。階層化された変調の場合、基本成分物理層パケットおよび拡張成分物理層パケットが、データスロットバッファの中に多重化される前に、独立にターボ符号化され、ビットインターリーブされる。
【０２６１】
（符号化）
ワイドエリアデータチャネル物理層パケットは、符号レートＲ＝１／２、１／３、または２／３で符号化されなければならない。符号器は、本明細書で指定されるとおり、着信する物理層パケットの６ビットのＴＡＩＬフィールドを破棄して、並行ターボ符号器を使用して、残りのビットを符号化しなければならない。ターボ符号器は、６／Ｒ（＝１２、１８、または９）の出力符号ビットの内部で生成された末端を追加して、出力におけるターボ符号化ビットの総数が、入力された物理層パケットの中のビットの数の１／Ｒ倍であるようにしなければならない。
【０２６２】
図２７は、ワイドエリアデータチャネルに関する符号化スキームを示す。ワイドエリアデータチャネル符号器パラメータは、以下のテーブル１４の中で指定されるとおりでなければならない。
【表１６】
2010505371.tif 000052
【０２６３】
（ターボ符号器）
ワイドエリアデータチャネル物理層パケットのために使用されるターボ符号器は、本明細書で指定されるとおりでなければならない。
【０２６４】
符号化されたデータ出力ビットは、アップ位置におけるスイッチを使用して構成符号器Ｎｔｕｒｂｏ時刻をクロック制御し、後段で示されるテーブル１５の中で指定されるとおり出力をパンクチャリングすることによって生成される。パンクチャリングパターン内で、「０」は、そのビットが削除されるべきことを意味し、「１」は、そのビットが送られるべきことを意味する。各ビット期間に関する構成符号器出力は、Ｘ、Ｙ０、Ｙ１、Ｘ’、Ｙ’０、Ｙ’１の順序で送られなければならず、Ｘ出力が最初に送られなければならない。ビット繰り返しは、符号化されたデータ出力シンボルを生成する際に使用されない。
【０２６５】
末端期間に関する構成符号器出力シンボルパンクチャリングは、後段で示されるテーブル１６の中で指定されるとおりでなければならない。パンクチャリングパターン内で、「０」は、そのシンボルが削除されるべきことを意味し、「１」は、そのシンボルが送られるべきことを意味する。
【０２６６】
レート１／２ターボ符号の場合、最初の３つの末端ビット期間のそれぞれに関する末端出力符号ビットは、ＸＹ０でなければならず、さらに、最後の３つの末端ビット期間のそれぞれに関する末端出力符号ビットは、Ｘ’Ｙ’０でなければならない。
【０２６７】
レート１／３ターボ符号の場合、最初の３つの末端ビット期間のそれぞれに関する末端出力符号ビットは、ＸＸＹ０でなければならず、さらに、最後の３つの末端ビット期間のそれぞれに関する末端出力符号ビットは、ＸＸ’Ｙ’０でなければならない。
【０２６８】
レート２／３ターボ符号の場合、最初の３つの末端ビット期間に関する末端出力符号ビットは、それぞれ、ＸＹ０、Ｘ、およびＸＹ０である。最後の３つの末端ビット期間に関する末端出力符号ビットは、それぞれ、Ｘ’、Ｘ’Ｙ’０、およびＸ’である。
【表１７】
2010505371.tif 000053
【０２６９】
前出のテーブル１５において、パンクチャリングテーブルは、上から下に読まれるべきであることに留意されたい。
【表１８】
2010505371.tif 000054
【０２７０】
前出のテーブル１６に関して、レート１／２ターボ符号の場合、パンクチャリングテーブルはまず、上から下に読まれるべきであり、次に、左から右に読まれるべきであることに留意されたい。レート１／３ターボ符号の場合、パンクチャリングテーブルは、ＸおよびＸ’を繰り返して、上から下に読まれるべきであり、次に、左から右に読まれるべきである。レート２／３ターボ符号の場合、パンクチャリングテーブルはまず、上から下に読まれるべきであり、次に、左から右に読まれるべきである。
【０２７１】
（ターボインターリーバ）
ワイドエリアデータチャネルに関するターボインターリーバは、本明細書で指定されるとおりでなければならない。
【０２７２】
（ビットインターリーブ）
ワイドエリアデータチャネルターボ符号化パケットは、本明細書で指定されるとおり、ビットインターリーブされなければならない。
【０２７３】
（データスロット割当て）
ワイドエリアデータチャネルに関して、１つまたは複数のＭＬＣに関連する複数のターボ符号化パケットの送信のために、１つのＯＦＤＭシンボル当たり７つのデータスロットが割り当てられることが可能である。いくつかのモード（２、４、８、および１１、前出のテーブル５を参照）に関して、ターボ符号化パケットは、スロットの数分の１だけを占有する。しかし、スロットは、複数のＭＬＣが、同一のＯＦＤＭシンボル内のスロットを共有することを回避するような仕方で、ＭＬＣに割り当てられる。
【０２７４】
（データスロットバッファを埋めること）
ワイドエリアデータチャネルターボ符号化パケットのビットインターリーブされた符号ビットは、１つまたは複数のデータスロットバッファに書き込まれる。これらのデータスロットバッファは、１から７までのスロットインデックスに対応する。データスロットバッファサイズは、ＱＰＳＫに関して１０００ビットでなければならず、１６−ＱＡＭおよび階層化された変調に関して２０００ビットでなければならない。ＱＰＳＫ変調および１６−ＱＡＭ変調に関して、ビットインターリーブされた符号ビットは、スロットバッファに順次に書き込まれなければならない。階層化された変調に関して、基本成分および拡張成分に対応するビットインターリーブされた符号ビットは、スロットバッファを埋めることに先立って、図２８に示されるとおりインターリーブされなければならない。
【０２７５】
図２９は、単一のターボ符号化パケットが、３つのデータスロットバッファにわたる事例を示す。
【０２７６】
図３０は、符号レート１／３を有する基本成分ターボ符号化パケットが、３つのデータスロットバッファを占有するように拡張成分ターボパケット（同一の符号レートを有する）で多重化される事例を示す。
【０２７７】
図３１は、データチャネルターボ符号化パケットが、データスロットの数分の１を占有し、４つのターボ符号化パケットが、整数のデータスロットを一杯にするのに要求される事例を示す。
【０２７８】
図３１における３つのスロットは、１つのＯＦＤＭシンボル、または複数の連続するＯＦＤＭシンボルにわたることが可能である。いずれの場合も、ＭＬＣに関するＯＦＤＭシンボルにわたるデータスロット割当ては、連続するスロットインデックスを有さなければならない。
【０２７９】
図３２は、フレームの中の連続する３つのＯＦＤＭシンボルにわたる異なる５つのＭＬＣに対するスロット割当てのスナップショットを示す。この図において、ＴＥＰｎ，ｍは、第ｍ番のＭＬＣに関する第ｎ番のターボ符号化パケットを表す。その図において、
ａ：ＭＬＣ１は、送信モード０を使用し、各ターボ符号化パケットに関して３つのスロットを要求する。ＭＬＣ１は、１つのターボ符号化パケットを送信するのに連続する３つのＯＦＤＭシンボルを使用する。
【０２８０】
ｂ：ＭＬＣ２は、送信モード１を使用し、単一のターボ符号化パケットを送信するのに２つのスロットを利用する。ＭＬＣ２は、２つのターボ符号化パケットを送信するのにＯＦＤＭシンボルｎおよびｎ＋１を使用する。
【０２８１】
ｃ：ＭＬＣ３は、送信モード２を使用し、１つのターボ符号化パケットを送信するために１．５スロットを要求する。ＭＬＣ３は、６つのターボ符号化パケットを送信するのに連続する３つのＯＦＤＭシンボルを使用する。
【０２８２】
ｄ：ＭＬＣ４は、送信モード１を使用し、単一のターボ符号化パケットを送信するのに２つのスロットを要求する。ＭＬＣ４は、２つのターボ符号化パケットを送信するのに連続する２つのＯＦＤＭシンボルを使用する。
【０２８３】
ｅ：ＭＬＣ５は、送信モード３を使用し、ターボ符号化パケットを送信するのに１つのスロットを要求する。ＭＬＣ５は、ターボ符号化パケットを送信するのに１つのＯＦＤＭシンボルを使用する。
【０２８４】
（スロットスクランブリング）
割り当てられた各スロットバッファのビットは、０において指定されるとおりスクランブルされなければならない。スクランブルされたスロットバッファは、ＳＢによって表される。
【０２８５】
（変調シンボルに対するビットのマッピング）
ワイドエリアデータチャネルに関して、送信モードに依存して、ＱＰＳＫ、１６−ＱＡＭ、または階層化された変調が、使用されることが可能である。
【０２８６】
（ＱＰＳＫ変調）
ｓ０およびｓ１というラベルがそれぞれ付けられた、第ｉ番のスクランブルされたスロットバッファからの連続する２つのビットの各グループ、ｉ＝１，２．．．７、ｋ＝０，１，．．．４９９である、ＳＢ（ｉ，２ｋ）およびＳＢ（ｉ，２ｋ＋１）が、
【数３５】
2010505371.tif 000055
【０２８７】
で、テーブル６の中で指定されるとおり、複素変調シンボルＭＳ＝（ｍＩ，ｍＱ）にマップされなければならない。図１３は、ＱＰＳＫ変調に関する信号配置を示す。
【０２８８】
（１６−ＱＡＭ変調）
第ｉ番のスクランブルされたデータスロットバッファからの連続する４つのビットの各グループ、ｉ＝１，２，．．．７、ｋ＝０，１，．．．４９９である、ＳＢ（ｉ，４ｋ）、ＳＢ（ｉ，４ｋ＋１）、ＳＢ（ｉ，４ｋ＋２）、およびＳＢ（ｉ，４ｋ＋３）が、グループ化されて、
【数３６】
2010505371.tif 000056
【０２８９】
で、以下のテーブル１７の中で指定される、ｋ＝０，１，．．．４９９である、１６−ＱＡＭ複素変調シンボルＳ（ｋ）＝（ｍＩ（ｋ），ｍＱ（ｋ））にマップされなければならない。図３３は、ｓ０＝ＳＢ（ｉ，４ｋ）、ｓ１＝ＳＢ（ｉ，４ｋ＋１）、ｓ２＝ＳＢ（ｉ，４ｋ＋２）、およびｓ３＝ＳＢ（ｉ，４ｋ＋３）である、１６−ＱＡＭ変調器の信号配置を示す。
【表１９】
2010505371.tif 000057
【０２９０】
（基本成分および拡張成分を有する階層化された変調）
第ｉ番のスクランブルされたデータスロットバッファからの連続する４つのビットの各グループ、ｉ＝１，２，．．．７、ｋ＝０，１，．．．４９９である、ＳＢ（ｉ，４ｋ）、ＳＢ（ｉ，４ｋ＋１）、ＳＢ（ｉ，４ｋ＋２）、およびＳＢ（ｉ，４ｋ＋３）が、グループ化されて、以下のテーブル１８の中で指定されるとおり、ｋ＝０，１，．．．４９９である、階層化された変調の複素変調シンボルＳ（ｋ）＝（ｍＩ（ｋ），ｍＱ（ｋ））にマップされなければならない。ｒが、基本成分と拡張成分の間のエネルギー比を表す場合、αおよびβは、以下によって与えられなければならない。すなわち、
【数３７】
2010505371.tif 000058
【０２９１】
および
【数３８】
2010505371.tif 000059
【０２９２】
である（テーブル４参照）。
【０２９３】
図３４は、ｓ０＝ＳＢ（ｉ，４ｋ）、ｓ１＝ＳＢ（ｉ，４ｋ＋１）、ｓ２＝ＳＢ（ｉ，４ｋ＋２）、およびｓ３＝ＳＢ（ｉ，４ｋ＋３）である、階層化された変調に関する信号配置を示す。スロットバッファを埋めるための手順は、ビットＳ０およびＳ２が、拡張成分に対応し、ビットＳ１およびＳ３が、基本成分に対応することを確実にする（図２８参照）ことに留意されたい。
【表２０】
2010505371.tif 000060
【０２９４】
ｒが、拡張成分エネルギーに対する基本成分エネルギーの比である場合、前出のテーブル１８において、
【数３９】
2010505371.tif 000061
【０２９５】
であることに留意されたい。
【０２９６】
（基本成分だけを有する階層化された変調）
ｓ０およびｓ１というラベルがそれぞれ付けられた、第ｉ番のスクランブルされたスロットバッファからの連続する４つのビットの各グループからの第２番のビット、および第４番のビット、ｉ＝１，２，．．．７、ｋ＝０，１，．．．４９９である、ＳＢ（ｉ，４ｋ＋１）およびＳＢ（ｉ，４ｋ＋３）が、
【数４０】
2010505371.tif 000062
【０２９７】
で、テーブル６の中で指定されるとおり、複素変調シンボルＭＳ＝（ｍＩ，ｍＱ）にマップされなければならない。図１３は、ＱＰＳＫ変調に関する信号配置を示す。
【０２９８】
（スロット−インターレースマッピング）
ワイドエリアデータチャネルＯＦＤＭシンボルに関するインターレースに対するスロットのマッピングは、本明細書で指定されるとおりでなければならない。
【０２９９】
（インターレース副搬送波に対するスロットバッファ変調シンボルのマッピング）
割り当てられた各スロットの中の５００の変調シンボルは、本明細書で指定される手順を使用して５００のインターレース副搬送波に順次に割り当てられなければならない。
【０３００】
（ＯＦＤＭ共通操作）
変調されたワイドエリアデータチャネル副搬送波は、本明細書で指定される共通操作を受けなければならない。
【０３０１】
（割り当てられていないスロットに関するワイドエリアデータチャネル処理）
ワイドエリアデータチャネルにおける割り当てられていないスロットは、入力として、各ビットが０に設定された１０００ビットの固定パターンを使用する。これらのビットは、図１４に示されるステップに従って処理されなければならない。
【０３０２】
（スロットバッファを埋めること）
ワイドエリアデータチャネルの割り当てられていない各スロットに関するバッファは、各ビットが「０」に設定された１０００ビットから成る固定パターンで完全に埋められなければならない。
【０３０３】
（スロットスクランブリング）
ワイドエリアデータチャネルにおける割り当てられていない各スロットバッファのビットは、０において指定されるとおりスクランブルされなければならない。スクランブルされたスロットバッファは、ＳＢによって表される。
【０３０４】
（変調シンボルマッピング）
ｓ０およびｓ１というラベルがそれぞれ付けられた、第ｉ番のスクランブルされたスロットバッファからの連続する２つのビットの各グループ、ｉ＝１，２，．．．７、ｋ＝０，１，．．．４９９である、ＳＢ（ｉ，２ｋ）およびＳＢ（ｉ，２ｋ＋１）が、
【数４１】
2010505371.tif 000063
【０３０５】
で、テーブル６の中で指定されるとおり、複素変調シンボルＭＳ＝（ｍＩ，ｍＱ）にマップされなければならない。図１３は、ＱＰＳＫ変調に関する信号配置を示す。
【０３０６】
（スロット−インターレースマッピング）
ワイドエリアデータチャネルＯＦＤＭシンボルの中の割り当てられていないスロットに関するインターレースに対するスロットのマッピングは、０において指定されるとおりでなければならない。
【０３０７】
インターレース副搬送波に対するスロットバッファ変調シンボルのマッピング
スロットバッファの中の５００の変調シンボルは、以下のとおり、５００のインターレース副搬送波に順次に割り当てられなければならない。すなわち、第ｉ番の複素変調シンボル（ただし、ｉ∈｛０，１，．．．４９９｝）は、そのインターレースの第ｉ番の副搬送波にマップされなければならない。
【０３０８】
（ＯＦＤＭ共通操作）
この変調されたワイドエリアデータチャネルＯＦＤＭシンボル副搬送波は、本明細書で指定されるとおり、共通操作を受けなければならない。
【０３０９】
（ローカルエリアデータチャネル）
ローカルエリアデータチャネルは、ローカルエリアマルチキャストに向けられた物理層パケットを伝送するのに使用される。ローカルエリアデータチャネルに関する物理層パケットは、ローカルエリアにおいて送信される活性のＭＬＣのいずれか１つに関連することが可能である。
【０３１０】
（割り当てられたスロットに関するローカルエリアデータチャネル処理）
ローカルエリアデータチャネルに関する物理層パケットは、図２６に示されるステップに従って処理されなければならない。
【０３１１】
通常の変調（ＱＰＳＫおよび１６−ＱＡＭ）の場合、物理層パケットが、データスロットバッファの中に格納される前に、ターボ符号化され、ビットインターリーブされる。階層化された変調の場合、基本成分物理層パケットおよび拡張成分物理層パケットが、データスロットバッファの中に多重化される前に、独立にターボ符号化され、ビットインターリーブされる。
【０３１２】
（符号化）
ローカルエリアデータチャネル物理層パケットは、符号レートＲ＝１／３、１／２、または２／３で符号化されなければならない。この符号化手順は、本明細書で指定されるワイドエリアデータチャネルに関する手順と同一でなければならない。
【０３１３】
（ビットインターリーブ）
ローカルエリアデータチャネルターボ符号化パケットは、本明細書で指定されるとおり、ビットインターリーブされなければならない。
【０３１４】
（データスロット割当て）
ローカルエリアデータチャネルに関して、スロット割当ては、本明細書で指定されるとおりでなければならない。
【０３１５】
（データスロットバッファを埋めること）
ローカルエリアデータチャネルに関するスロットバッファを埋めるための手順は、本明細書で指定されるとおりでなければならない。
【０３１６】
（スロットスクランブリング）
割り当てられた各スロットバッファのビットは、本明細書で指定されるとおり、スクランブルされなければならない。スクランブルされたスロットバッファは、ＳＢによって表される。
【０３１７】
（変調シンボルに対するスロットビットのマッピング）
ローカルエリアデータチャネルに関して、送信モードに依存して、ＱＰＳＫ、１６−ＱＡＭ、または階層化された変調が、使用されることが可能である。
【０３１８】
（ＱＰＳＫ変調）
スクランブルされたスロットバッファからの連続する２つのビットの各グループは、本明細書で指定されるとおり、ＱＰＳＫ変調シンボルにマップされなければならない。
【０３１９】
（１６−ＱＡＭ変調）
スクランブルされたスロットバッファからの連続する４つのビットの各グループが、本明細書で指定されるとおり、１６−ＱＡＭ変調シンボルにマップされなければならない。
【０３２０】
（基本成分および拡張成分を有する階層化された変調）
スクランブルされたスロットバッファからの連続する４つのビットの各グループが、本明細書で指定されるとおり、階層化変調シンボルにマップされなければならない。
【０３２１】
（基本成分だけを有する階層化された変調）
スクランブルされたスロットバッファからの連続する４つのビットの各グループからの第２のビット、および第４のビットが、本明細書で指定されるとおり、ＱＰＳＫ変調シンボルにマップされなければならない。
【０３２２】
（スロット−インターレースマッピング）
ローカルエリアデータチャネルＯＦＤＭシンボルに関するインターレースに対するスロットのマッピングは、本明細書で指定されるとおりでなければならない。
【０３２３】
（インターレース副搬送波に対するスロット変調シンボルのマッピング）
割り当てられた各スロットの中の５００の変調シンボルは、本明細書で指定される手順を使用して５００のインターレース副搬送波に順次に割り当てられなければならない。
【０３２４】
（ＯＦＤＭ共通操作）
変調されたワイドエリアデータチャネル副搬送波は、本明細書で指定されるとおり、共通操作を受けなければならない。
【０３２５】
（割り当てられていないスロットに関するローカルエリアデータチャネル処理）
ローカルエリアデータチャネルにおける割り当てられていないスロットは、入力として、各ビットが０に設定された１０００ビットの固定パターンを使用する。これらのビットは、図１４に示されるステップに従って処理されなければならない。
【０３２６】
（スロットバッファを埋めること）
ローカルエリアデータチャネルの割り当てられていない各スロットに関するバッファは、各ビットが「０」に設定された１０００ビットから成る固定パターンで完全に埋められなければならない。
【０３２７】
（スロットスクランブリング）
ワイドエリアデータチャネルにおける割り当てられていない各スロットバッファのビットは、０において指定されるとおりスクランブルされなければならない。スクランブルされたスロットバッファは、ＳＢによって表される。
【０３２８】
（変調シンボルマッピング）
スクランブルされたスロットバッファからの連続する２つのビットの各グループが、本明細書で指定されるとおりＱＰＳＫ変調シンボルにマップされなければならない。
【０３２９】
（スロット−インターレースマッピング）
ローカルエリアデータチャネルＯＦＤＭシンボルの中の割り当てられていないスロットに関するインターレースに対するスロットのマッピングは、本明細書で指定されるとおりでなければならない。
【０３３０】
（インターレース副搬送波に対するスロットバッファ変調シンボルのマッピング）
スロットバッファの中の５００の変調シンボルは、以下のとおり、５００のインターレース副搬送波に順次に割り当てられなければならない。すなわち、第ｉ番の複素変調シンボル（ただし、ｉ∈｛０，１，．．．４９９｝）は、そのインターレースの第ｉ番の副搬送波にマップされなければならない。
【０３３１】
（ＯＦＤＭ共通操作）
この変調されたローカルエリアデータチャネルＯＦＤＭシンボル副搬送波は、本明細書で指定されるとおり、共通操作を受けなければならない。
【０３３２】
（インターレースに対するスロットのマッピング）
スロット−インターレースマッピングは、このセクションにおいて指定されるとおり、ＯＦＤＭシンボルごとに異なる。すべてのＯＦＤＭシンボルの中に８つのスロットが存在する。ＦＤＭパイロットチャネルは、スロット０を利用しなければならない。スロット０には、以下のとおり、スーパーフレームの中のＯＦＤＭシンボルインデックスｊに関するインターレースＩｐ［ｊ］が割り当てられなければならない。
【０３３３】
（ｊ  ｍｏｄ  ２＝０）である場合、Ｉｐ［ｊ］＝２である。
【０３３４】
さもなければ、Ｉｐ［ｊ］＝６である。
【０３３５】
スロット０に関するインターレース割当て手順は、ＦＤＭパイロットチャネルに、それぞれ、偶数ＯＦＤＭシンボルインデックスおよび奇数ＯＦＤＭシンボルインデックスに関するインターレース２および６が割り当てられることを確実にする。各ＯＦＤＭシンボルの中の残りの７つのインターレースは、スロット１ないし７に割り当てられる。このことは、ＰおよびＤが、ＦＤＭパイロットチャネルによって占有されるスロットに割り当てられたインターレース、およびデータチャネルによって占有されるスロットに割り当てられたインターレースをそれぞれ表す、図３５に示される。
【０３３６】
スロット１ないし７に関するスロット−インターレースマッピングは、以下のとおりでなければならない。すなわち、
ａ．ｉを、インターレースインデックスｉ（ｉ∈｛０，７｝）の３ビット値とする。ｉのビット逆転値をｉｂｒと表す。
【０３３７】
ｂ．Ｉｊが、本明細書の前段で定義されるとおり、第ｊ番のインターレースを表すものとする。Ｉｉにおけるインデックスｉ（ｉ∈｛０，７｝）をｉｂｒで置き換えることによって、インターレース系列｛Ｉ０Ｉ１Ｉ２Ｉ３Ｉ４Ｉ５Ｉ６Ｉ７｝を置換して、置換された系列、ＰＳ＝｛Ｉ０Ｉ４Ｉ２Ｉ６Ｉ１Ｉ５Ｉ３Ｉ７｝を生成する。
【０３３８】
ｃ．ＰＳの中でインターレースＩ２とＩ６をクラブ化（club）して、短縮されたインターレース系列、ＳＩＳ＝｛Ｉ０Ｉ４Ｉ２／Ｉ６Ｉ１Ｉ５Ｉ３Ｉ７｝を生成する。
【０３３９】
ｄ．スーパーフレームの中のインデックスｊ（ｊ∈｛１，１１９９｝）を有するＯＦＤＭシンボルに関して、（２×ｊ）  ｍｏｄ  ７に等しい値だけ、ステップ３でＳＩＳに対して右方向巡回シフトを実行して、置換された、短縮されたインターレース系列ＰＳＩＳ（ｊ）を生成する。
【０３４０】
ｅ．（ｊ  ｍｏｄ  ２＝０）である場合、ＰＳＩＳ（ｊ）の中でインターレースＩ６を選択する。さもなければ、ＰＳＩＳ（ｊ）の中でＩ２を選択する。
【０３４１】
ｆ．スーパーフレームの中の第ｊ番のＯＦＤＭシンボル間隔に関して、第ｋ番のデータスロット（ｋ∈｛１，．．．７｝に関する）に、インターレースＰＳＩＳ（ｊ）［ｋ−１］が割り当てられなければならない。
【０３４２】
前述のステップｃに関して、インターレース２とインターレース６が、パイロットのために交互に使用されるので、残りの７つのインターレースは、データスロットの割当てのために使用される。さらに、スーパーフレームは、１２００のＯＦＤＭシンボル間隔にわたり、ＯＦＤＭシンボルインデックス０に関するスロット−インターレースマッピングは、使用されないことに留意されたい。さらに、前述のステップｄに関して、系列ｓ＝｛１  ２  ３  ４  ５｝を２だけ右方向巡回シフトすることにより、（２）＝｛４  ５  １  ２  ３｝がもたらされることに留意されたい。
【０３４３】
図３６は、連続する１５のＯＦＤＭシンボル間隔にわたる８つすべてのスロットに対するインターレース割当てを示す。スロットからインターレースへのマッピングパターンは、連続する１４のＯＦＤＭシンボル間隔の後に繰り返される。図３６は、パイロットインターレースの隣で、すべてのインターレースにほぼ同一のわずかな時間が割り当てられ、すべてのインターレースに関するチャネル推定パフォーマンスは、ほぼ同一であることを示す。
【０３４４】
（ＯＦＤＭ共通操作）
このブロックは、ＯＦＤＭシンボル間隔ｍに関する副搬送波インデックスｋに関連する複素変調シンボルＸｋ，ｍをＲＦ送信信号に変換する。これらの操作が、図３７に示される。
【０３４５】
（ＩＦＴ操作）
第ｍ番のＯＦＤＭシンボルに関連する、ｋ＝０，１，．．．，４０９５である複素変調シンボルＸｋ，ｍは、ＩＦＴ（逆フーリエ変換）式によって連続時間信号ｘｍ（ｔ）と関係付けられなければならない。具体的には、
【数４２】
2010505371.tif 000064
【０３４６】
上記の式において、（Δｆ）ｓｃは、副搬送波間隔であるのに対して、ＴＷＧＩ、ＴＦＧＩ、およびＴ’ｓは、本出願で前述したとおりに定義される。
【０３４７】
（窓化）
信号ｘｍ（ｔ）は、窓関数ｗ（ｔ）によって増倍させられ（multiplied）、ただし、
【数４３】
2010505371.tif 000065
【０３４８】
である。
【０３４９】
窓化信号は、ｙｍ（ｔ）によって表され、ただし、
【数４４】
2010505371.tif 000066
【０３５０】
である。
【０３５１】
前出の式において、ＴＵおよびＴＳは、本明細書の前段で定義されるとおりである。
【０３５２】
（重ね合わせおよび加算）
ベースバンド信号ｓＢＢ（ｔ）が、ＴＷＧＩだけ、連続するＯＦＤＭシンボルからの窓化された連続時間信号を重ね合わせることによって生成されなければならない。このことが、図３８に示される。具体的には、ｓＢＢ（ｔ）は、以下によって与えられる。すなわち、
【数４５】
2010505371.tif 000067
【０３５３】
（キャリア変調）
同相ベースバンド信号および直交ベースバンド信号は、ＲＦ周波数にアップコンバートされ、合計されて、ＲＦ波形ｓＲＦ（ｔ）が生成されなければならない。図３７において、ｆｃ（ｋ）は、第ｋ番のＦＬＯ  ＲＦチャネルの中央周波数である（テーブル１参照）。
【０３５４】
（代替のスーパーフレーム構造）
別の例において、図１０に示されるスーパーフレーム構造は、スーパーフレームの処理を異なる仕方で最適化するように変更されることが可能であることに留意されたい。図１０〜図１８の例に関連して前述したとおり、ネットワークＩＤ（識別子）を使用して、ワイドエリアネットワークまたはローカルエリアネットワークが識別される、または区別されることが可能であることに留意されたい。それらの例において、プリアンブルの中の４（四）つのＯＦＤＭシンボルが、ＴＤＭパイロット１チャネル、ＷＩＣ（ワイドエリア識別チャネル）、ＬＩＣ（ローカルエリア識別チャネル）、およびＴＤＭパイロット２チャネルを含むＴＤＭパイロットチャネルに専用であった。ＴＤＭパイロット２チャネルは、ワイドエリアネットワークＩＤでスクランブルされるので、推定されるチャネル−タイミングは、ローカルエリアネットワークではなく、ワイドエリアネットワークに関する。したがって、このワイドエリアチャネル−タイミング推定が、ローカルチャネルに関して使用されると、ローカルチャネルパフォーマンスは、損なわれる。
【０３５５】
この例によれば、スーパーフレームの構造は、ローカルチャネル受信パフォーマンスを同一レベルのワイドエリアパフォーマンスまで向上させるように、図１０に示される構造から変更されることが可能である。現在、開示される代替のスーパーフレーム構造は、整理番号０４０６４５Ｕ３Ｂ１を有し、参照により全体が本明細書に組み込まれている、マイケルワン（Michael Wang）による「METHODS AND APPARAUTS FOR COMMUNICATING NETWORK IDENTIFIERS IN A COMMUNICATION SYSTEM」という名称の同時係属出願において、より詳細に説明されるとおり、タイミング−周波数獲得、およびネットワークＩＤ獲得のための３つの専用ＯＦＤＭシンボルを含むスキームを利用する。具体的には、ＷＩＣシンボルおよびＬＩＣシンボルが、除去されて、ＴＤＭパイロット３が、スーパーフレームに追加される。ＴＤＭパイロット３は、ＰＮスクランブリング系列が、ＬＯＩ  ＩＤ（ローカルエリア動作インフラストラクチャＩＤ）と組み合わされたＷＯＩ  ＩＤ（ワイドエリア動作インフラストラクチャＩＤ）を種とすること以外は、ＴＤＭパイロット２と同一の構造を有する。したがって、ワイドエリアＩＤによってスクランブルされるＴＤＭパイロット２は、ワイドエリアネットワーク精密（fine）タイミング獲得またはワイドエリアネットワーク精密タイミング再獲得のために使用される。ローカルエリアネットワーク精密タイミング獲得またはローカルエリアネットワーク精密タイミング再獲得のために、ＴＤＭパイロット２の代わりに、ＴＤＭパイロット３チャネルが、使用される。ＴＤＭパイロット３チャネルは、ローカルエリアＩＤを含めることによってスクランブルされるため、獲得されるタイミングは、図１０に示されるフレーム構造の場合のように、ＴＤＭパイロット２を介して獲得される場合と比べて、より正確である。
【０３５６】
さらに、前述した、組み込まれる開示において開示されるＴＤＭパイロット２チャネルおよびＴＤＭパイロット３チャネルは、２０４８のサンプルなどの、より長いパイロットシンボルを利用する。そのようなシンボルは、前述した開示の中でやはり説明されるとおり、検出メトリックにおいて、より正確なベースライン推定を可能にすることにより、５１２のサンプルの長さを通常、有するＷＩＣ／ＬＩＣシンボルを使用することよりも、より高い検出パフォーマンスをもたらす。
【０３５７】
図３９は、ＴＤＭ１パイロットシンボル、ＴＤＭ２パイロットシンボル、およびＴＤＭ３パイロットシンボルを利用する、現在、開示される例によるスーパーフレーム構造３９００を示す。示されるとおり、フレーム３９００は、フレーム３９００のプリアンブルの始めにＴＤＭパイロット１シンボル３０９２を含む。前述したとおり、ＴＤＭ１は、とりわけ、粗いタイミング獲得のためにトランシーバによって使用される。時間的に、ＴＤＭ１  ３９０２の後にＴＤＭ  パイロット２  ３９０４が続く。ＴＤＭ２  ３９０４は、精密なタイミング獲得、または精密なタイミング再獲得のためにトランシーバによって使用される。スーパーフレーム３９００の時間構成の中にＴＤＭパイロット３を次に含めるのではなく、ＷＴＰＣ（ワイドエリア遷移パイロットチャネル）３９０６が、フレーム３９００の中に含められる。ＷＰＴＣ３９０６は、ワイドエリアネットワークに関するデータまたは情報の送信に先立って、トランシーバによってサンプリングされるべき、復調されるべき、または復号されるべきデータを全く含まない遷移チャネルである。
【０３５８】
ＷＴＰＣ３９０６が送信された後、フレーム３９００は、ワイドエリアネットワークに関するワイドエリアＯＩＳ（オーバヘッド情報シンボル）３９０８、および付随するＦＤＭ（周波数分割多重化）パイロット３９１０を含む。シンボル３９０８および３９１０の後、別のＷＴＰＣチャネル３９１２が、送信される。ＷＴＰＣチャネルが送信された後、ＴＤＭパイロット３チャネル３９１４が、スーパーフレーム３９００の中に含められ、トランシーバユーザが、ローカルエリアコンテンツを所望する場合、ローカルエリアネットワーク精密タイミング獲得またはローカルエリアネットワーク精密タイミング再獲得のためにトランシーバによって使用されることが可能である。
【０３５９】
ＴＤＭパイロット３  ３９１４送信の後に続いて、スーパーフレーム３９００は、ＬＴＰＣ（ローカルエリアネットワーク遷移パイロットチャネル）３９１６を含む。フレーム３９００の中で次に行われるのは、ローカルエリアＯＩＳ３９１８とＦＤＭパイロットシンボル３９２０の同時の送信である。ＦＤＭパイロット３９２０とローカルエリアＯＩＳ３９１８の送信の後、ローカルエリアネットワークに関連するＦＤＭとＯＩＳを画定する別のＬＴＰＣチャネル３９２２が、送信される。ＬＴＰＣチャネル３９２２が送信された後、ワイドエリアネットワークおよびローカルエリアネットワークに関するデータ、ならびに任意のポストアンブル情報（符号３９２２によって示されて括弧内に図示される）が、送信される。
【０３６０】
スーパーフレーム構造３９００は、例えば、図１０に示されるスーパーフレームと比べて、オーバヘッドＯＦＤＭシンボルを１つ少なく使用しながら、ローカルチャネル推定／タイミング機構をもたらすスーパーフレームを可能にする。さらに、ＴＤＭ３  ３９１４は、ローカルエリアＯＩＳ３９１８の隣にあるので、ＴＤＭ３から獲得されるチャネルまたはタイミングは、ローカルエリアデータ処理に関して最適に更新される。さらに、ＴＤＭ２  ３９０４およびＴＤＭ３  ３９１４の後には、処理を必要とするデータを含まないＷＴＰＣ（例えば、３９０６）およびＬＴＰＣ（例えば、３９１６）がそれぞれ続くため、このことは、ワイドエリアＯＩＳ３９０８およびローカルエリアＯＩＳ３９１８の処理に影響を与えることなしに、ＴＤＭ２（３９０４）およびＴＤＭ３（３９１４）のために、より多くの時間を許すことに留意されたい。
【０３６１】
図４０は、図３９に示されるスーパーフレーム３９００を順序付け（sequence）、送信するための例示的な方法の流れ図である。図示されるとおり、方法４０００は、プロセス４０００が初期設定されるブロック４００２で始まる。次に、フローは、ブロック４００４に進み、少なくともタイミング情報を通信するように構成された第１のシンボルが、送信される（例えば、ＴＤＭ１）。ブロック４００４から、フローは、タイミング情報（例えば、ＴＤＭ２）を通信するように構成された第２のパイロットシンボルが送信されるブロック４００４に進む。第２のパイロットシンボルは、第１のネットワークに関するネットワーク識別情報（例えば、ワイドエリアネットワークＷＯＩ  ＩＤ）を含む第１の情報を含む。
【０３６２】
ブロック４００６の動作が実行された後、フローは、第１のネットワーク遷移パイロットチャネル（例えば、ＷＴＰＣ３９０６）が送信されることが可能なブロック４００８に進む。さらに、ブロック４００８は、少なくともネットワークに関するオーバヘッド情報の送信をフィーチャする（feature）ことも可能である。この情報の例には、ワイドエリアＯＩＳ３９０８およびＦＤＭパイロット３９１０が含まれる。ＷＴＰＣ３９０６などのトランザクションチャネルの送信は、ブロック４００６における第２のパイロット（ＴＤＭ２）の送信の後に続くことに留意されたい。これらの送信されたシンボルが、受信機（図示せず）によって受信されると、ＴＤＭ２の後の遷移チャネルは、受信機プロセッサが、例えば、ワイドエリアＯＩＳ３９０８を復調し、復号するのに先立って、タイミング情報およびネットワークＩＤ情報を獲得する時間をもたらす。
【０３６３】
ブロック４００８で、フローは、第３のパイロットシンボルが送信されるブロック４０１０に進む。第３のシンボル（例えば、ＴＤＭ３）は、第２のネットワークに関するネットワーク識別情報（例えば、ＬＯＩ  ＩＤ）を通信するように構成される。第２のネットワークに関するネットワーク識別情報は、整理番号０４０６４５Ｕ３Ｂ１を有し、２００６年８月２８日に出願された、マイケルワンによる「METHODS AND APPARAUTS FOR COMMUNICATING NETWORK IDENTIFIERS IN A COMMUNICATION SYSTEM」という名称の同時係属出願において説明されたとおり、第１のネットワークに関するネットワーク識別情報（例えば、ＷＯＩ  ＩＤ）の少なくとも一部分を含むことが可能である。
【０３６４】
第３のパイロットシステム（例えば、ＴＤＭ３）が、ブロック４０１０で送信された後、フローは、第２のネットワーク遷移パイロットチャネル（例えば、ＬＰＴＣ３９１６）、および少なくとも第２のネットワークに関するオーバヘッド情報（例えば、ローカルエリアＯＩＳ３９１８およびＦＤＭパイロット３９２０）を送信するためのブロック４０１２に進む。この場合も、遷移チャネルは、ＴＤＭパイロットシンボル（例えば、ＴＤＭ３）の後に続くので、これらの送信されたシンボルが、受信機（図示せず）によって受信されると、ＴＤＭ３の後の遷移チャネルは、受信機プロセッサが、例えば、ローカルエリアＯＩＳ３９１８を復調し、復号するのに先立って、タイミング情報およびネットワークＩＤ情報を獲得する時間をもたらす。次に、フローは、ブロック４０１２から、プロセス４０００が終了するブロック４０１４に進む。
【０３６５】
プロセス４０００は、送信機、または類似したデバイスによって実行されることが可能であることに留意されたい。送信機において使用するための、そのような送信機４１００またはプロセッサ４１０２の例が、図４１に示される。この例において、送信機４１００は、送信されるべきスーパーフレームに組み立てられるべきデータを変調する変調器４１０４を有するプロセッサ４１０２を含む。例には、ＴＤＭパイロットシンボルおよびＦＤＭパイロットシンボル、ならびにＯＩＳデータ、およびワイドおよびローカルが含まれる。変調器は、変調器４１０４からのデータ、ならびに遷移パイロットチャネルを、図３９および図４０の例に示される仕方で組み立てるように構成されたスーパーフレームアセンブラ４１０６に、変調されたデータを出力する。組み立てられたデータフレームは、実際には、ＲＦチップなどの送信機回路４１０８、およびアンテナ４１１０によって無線で送信される。ファームウェア、ハードウェア、ソフトウェア、または以上の組み合わせにおけるブロック４１０４および４１０６の機能を実施することが可能なプロセッサ４１０２は、プロセッサ４１０２によって使用され、実施される命令を格納するメモリ４１１２と通信してもいる。
【０３６６】
図４２は、フレームを送信するために本開示による送信機において使用するためのプロセッサ４２００（または単に送信機）の別の例を示す。図示されるとおり、送信機４２００において使用される送信機またはプロセッサは、少なくともタイミング情報を通信するように構成された第１のシンボルを送信するための手段４２０２を含む。第１のシンボルの前段で開示される例が、ＯＦＤＭパイロットシンボルＴＤＭ１である。また、プロセッサ４２００は、ワイドエリアネットワークなどの、第１のネットワークに関するネットワーク識別情報を含む第１の情報を通信するように構成された第２のパイロットシンボルを送信するための手段４２０４も含む。第２のパイロットシンボルの例には、ワイドエリアネットワークに関するＷＯＩ  ＩＤ情報を含む、前述したＴＤＭ２が含まれる。
【０３６７】
また、プロセッサ４２００は、少なくとも第１のネットワークに関する第１のオーバヘッド情報を送信するための手段４２０６も含む。例として、このことには、ワイドエリアＯＩＳ３９０８を送信することが含まれる。さらに、この手段は、ＯＩＳの送信の前と後に、遷移パイロットチャネルの送信を実行することも可能である。さらに、プロセッサ４２００は、第２のパイロットシンボル、および第１のネットワークに関するオーバヘッド情報の送信の後、第２のネットワークに関するネットワーク識別情報を含む第２の情報を通信するように構成された第３のパイロットシンボルを送信するための手段４２０８を含む。例として、手段４２０８によって送信される第３のパイロットシンボルは、ＴＤＭ３である。この例において、手段４２０８は、手段４２０６が、ＯＩＳ情報を送信するのを待ってから、ＴＤＭ３を送信することに留意されたい。
【０３６８】
さらに、プロセッサ４２００は、例として、図３９に示されるスーパーフレームなどのフレームまたはスーパーフレームに、手段４２０２、４２０４、４２０６、および４２０８の送信を組み立てて、アンテナ４２１２を介して無線で送信するための送信回路または送信手段４２１０も含む。手段４２０２、４２０４、４２０６、および４２０８は、スーパーフレームの順次構成を確実にして、図４０の方法によるなど、図示されるとおり順次に動作しても、手段４２１０と同時に動作してもよいことに留意されたい。
【０３６９】
図３９〜図４２に関連して前段で開示される例は、ＴＤＭ２パイロットチャネルおよびＴＤＭ３パイロットチャネルが、プリアンブルの中で単に順番にではなく、それぞれ、ワイドエリアＯＩＳシンボルおよびローカルエリアＯＩＳシンボルに先立って送信されるフレームプリアンブルをフィーチャすることによって、処理リソースの、より良好な使用、ならびに受信機における、より良好な更新されたタイミング情報をもたらす。さらに、意味のあるデータを全く有さない遷移パイロットチャネル（例えば、ＷＰＴＣおよびＬＴＰＣ）に先立って、ＴＤＭパイロットチャネルＴＤＭ２およびＴＤＭ３を送信することによって、例えば、ＯＩＳデータを受信することに先立つ、受信機によるタイミング情報およびネットワークＩＤ情報の処理および獲得のための時間が与えられる。
【０３７０】
本明細書で開示される実施形態に関連して説明される様々な例示的な論理ブロック、モジュール、および回路は、汎用プロセッサ、ＤＳＰ（ディジタル信号プロセッサ）、ＡＳＩＣ（特定用途向け集積回路）、ＦＰＧＡ（フィールドプログラマブルゲートアレー）もしくは他のプログラミング可能なロジックデバイス、ディスクリートのゲートもしくはトランジスタロジック、ディスクリートのハードウェア構成要素、あるいは本明細書で説明される機能を実行するように設計された以上の任意の組み合わせを使用して、実施される、または実行されることが可能である。汎用プロセッサは、マイクロプロセッサであることが可能であるが、代替として、プロセッサは、任意の従来のプロセッサ、コントローラ、マイクロコントローラ、または状態マシンであってもよい。また、プロセッサは、コンピューティングデバイスの組み合わせとして、例えば、ＤＳＰとマイクロプロセッサの組み合わせ、複数のマイクロプロセッサ、ＤＳＰコアと連携する１つまたは複数のマイクロプロセッサ、または他の任意のそのような構成として実施されることも可能である。
【０３７１】
本明細書で開示される実施形態に関連して説明される方法またはアルゴリズムのステップは、ハードウェアにおいて直接に、プロセッサによって実行されるソフトウェアモジュールにおいて、またはこの２つの組み合わせで実施されることが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルなディスク、ＣＤ−ＲＯＭ、または当技術分野で知られている他の任意の形態の記憶媒体の中に存在することが可能である。例示的な記憶媒体は、プロセッサが、その記憶媒体から情報を読み取ること、およびその記憶媒体に情報を書き込むことができるように、プロセッサに結合される。代替として、記憶媒体は、プロセッサと一体化していてもよい。プロセッサと記憶媒体は、ＡＳＩＣの中に存在することが可能である。このＡＳＩＣは、端末装置内に存在することが可能である。代替として、プロセッサと記憶媒体は、端末装置内のディスクリートの構成要素として存在してもよい。
【０３７２】
開示される実施形態の前段の説明は、任意の当業者が、本発明を作成する、または使用することを可能にするように提供される。これらの実施形態に対する様々な変形が、当業者には直ちに明白となり、本明細書において規定される一般的な原理は、本発明の趣旨または範囲を逸脱することなく、他の実施形態に適用されることも可能である。このため、本発明は、本明細書で示される実施形態に限定されることを意図しておらず、本明細書において開示される原理および新奇な特徴と合致する最も広い範囲を与えられるべきである。
【０３７３】
情報および信号は、様々な異なる技術および技法のいずれを使用して表現されることも可能であることが当業者には理解されよう。例えば、以上の説明の全体で言及されることが可能なデータ、命令、コマンド、情報、信号、ビット、シンボル、およびチップは、電圧、電流、電磁波、磁界または磁気粒子、光の場または粒子、または以上の任意の組み合わせによって表現されることが可能である。
【０３７４】
本明細書で開示される実施形態に関連して説明される様々な例示的な論理ブロック、モジュール、回路、およびアルゴリズムステップは、電子ハードウェアとして実施されても、コンピュータソフトウェアとして実施されても、あるいはその両方の組み合わせとして実施されてもよいことが、当業者にはさらに理解されよう。ハードウェアとソフトウェアの、この互換性を明確に示すのに、様々な例示的な構成要素、ブロック、モジュール、回路、およびステップが、概ね機能の点で以上に説明されてきた。そのような機能が、ハードウェアとして実施されるか、ソフトウェアとして実施されるかは、全体的なシステムに課される特定の応用上の制約、および設計上の制約に依存する。当業者は、説明される機能を、それぞれの特定の応用例に関して、様々な仕方で実施することができるが、そのような実施上の決定が、本開示の範囲からの逸脱を生じさせるものと解釈されてはならない。
【図１】
2010505371.tif 000068
【図２ａ】
2010505371.tif 000069
【図２ｂ】
2010505371.tif 000070
【図３】
2010505371.tif 000071
【図４】
2010505371.tif 000072
【図５】
2010505371.tif 000073
【図６】
2010505371.tif 000074
【図７】
2010505371.tif 000075
【図８】
2010505371.tif 000076
【図９】
2010505371.tif 000077
【図１０】
2010505371.tif 000078
【図１１】
2010505371.tif 000079
【図１２】
2010505371.tif 000080
【図１３】
2010505371.tif 000081
【図１４】
2010505371.tif 000082
【図１５】
2010505371.tif 000083
【図１６】
2010505371.tif 000084
【図１７】
2010505371.tif 000085
【図１８】
2010505371.tif 000086
【図１９】
2010505371.tif 000087
【図２０】
2010505371.tif 000088
【図２１】
2010505371.tif 000089
【図２２】
2010505371.tif 000090
【図２３】
2010505371.tif 000091
【図２４】
2010505371.tif 000092
【図２５】
2010505371.tif 000093
【図２６】
2010505371.tif 000094
【図２７】
2010505371.tif 000095
【図２８】
2010505371.tif 000096
【図２９】
2010505371.tif 000097
【図３０】
2010505371.tif 000098
【図３１】
2010505371.tif 000099
【図３２】
2010505371.tif 000100
【図３３】
2010505371.tif 000101
【図３４】
2010505371.tif 000102
【図３５】
2010505371.tif 000103
【図３６】
2010505371.tif 000104
【図３７】
2010505371.tif 000105
【図３８】
2010505371.tif 000106
【図３９】
2010505371.tif 000107
【図４０】
2010505371.tif 000108
【図４１】
2010505371.tif 000109
【図４２】
2010505371.tif 000110
【国際調査報告】
2010505371.tif 000111
2010505371.tif 000112